(57)【要約】【課題】間欠受信動作時における電力消費を抑制しつつ、受信ダイバーシティシステムが持つ本来の機能を効果的に利用できるようにする。【解決手段】制御部１４で、少なくともＲＦ部１１について、間欠受信動作における間欠動作期間ごとに各系統のうちの所定系統のみ動作させ他の系統を停止させるとともに、間欠受信動作における間欠停止期間に各系統をすべて停止させ、ディジタル信号処理部１３で、次の間欠動作期間の到来に応じて動作させる新たな系統の最初の受信ゲインとして、過去の間欠動作期間で用いた任意の過去受信ゲインから推定した初期受信ゲインをＲＦ部１１へ設定する。また過去の間欠動作期間で得られた受信品質から停止系統の品質を推定してトータル受信品質を求める。【選択図】  図１
2005311857.tif 000002
【特許請求の範囲】
【請求項１】
無線装置で用いられ、受信した電波を個別に復調する複数の系統を切替制御して所望の受信データを得る受信ダイバーシティシステムにおいて、
個々のアンテナで受信した電波を系統ごとに個々の受信ゲインで増幅して復調しアナログ受信信号をそれぞれ出力するＲＦ部と、
このＲＦ部からの各アナログ受信信号を系統ごとにＡＤ変換しディジタル受信信号としてそれぞれ出力するアナログ信号処理部と、
このアナログ信号処理部からの各ディジタル受信信号を復号化および合成し所望の受信情報として出力するとともに、前記各ディジタル受信信号の受信レベルに基づき前記ＲＦ部における各系統の受信ゲインを逐次調整し、その調整に用いた任意の受信ゲインを記憶するディジタル信号処理部と、
少なくとも前記ＲＦ部について、間欠受信動作における間欠動作期間ごとに前記各系統のうちの所定系統のみ動作させ他の系統を停止させるとともに、間欠受信動作における間欠停止期間に前記各系統をすべて停止させる制御部とを備え、
前記ディジタル信号処理部は、次の間欠動作期間の到来に応じて動作させる新たな系統の最初の受信ゲインとして、過去の間欠動作期間で用いた任意の過去受信ゲインから推定した初期受信ゲインを前記ＲＦ部へ設定することを特徴とする受信ダイバーシティシステム。
【請求項２】
請求項１に記載の受信ダイバーシティシステムにおいて、
前記ディジタル信号処理部は、前記初期受信ゲインとして、任意の系統が前回動作した間欠動作期間内で最後に用いた過去受信ゲインを用いることを特徴とする受信ダイバーシティシステム。
【請求項３】
請求項１に記載の受信ダイバーシティシステムにおいて、
前記ディジタル信号処理部は、前記初期受信ゲインとして、直前の間欠動作期間で動作していた系統で用いた任意の過去受信ゲインを用いることを特徴とする受信ダイバーシティシステム。
【請求項４】
請求項１に記載の受信ダイバーシティシステムにおいて、
前記ディジタル信号処理部は、前記初期受信ゲインとして、前記新たな系統で用いた任意の過去受信ゲインを用いることを特徴とする受信ダイバーシティシステム。
【請求項５】
請求項１に記載の受信ダイバーシティシステムにおいて、
前記ディジタル信号処理部は、前記初期受信ゲインとして、過去の間欠動作期間で用いた複数の過去受信ゲインから算出した統計量を用いることを特徴とする受信ダイバーシティシステム。
【請求項６】
請求項５に記載の受信ダイバーシティシステムにおいて、
前記ディジタル信号処理部は、前記統計量として、前記新たな系統で用いた複数の過去受信ゲインにそれぞれ所定の重み付けをして集計した累積受信ゲインを用いることを特徴とする受信ダイバーシティシステム。
【請求項７】
請求項５に記載の受信ダイバーシティシステムにおいて、
前記ディジタル信号処理部は、前記統計量として、直前の間欠動作期間で動作していた系統で用いた複数の過去受信ゲインにそれぞれ所定の重み付けをして集計した累積受信ゲインを用いることを特徴とする受信ダイバーシティシステム。
【請求項８】
請求項１に記載の受信ダイバーシティシステムにおいて、
前記ディジタル信号処理部は、任意の過去受信ゲインから得られた推定基準となる基準受信ゲインを、受信ゲインの変動傾向を示すゲイン変動量で補正し、得られた補正受信ゲインを前記初期受信ゲインとして用いることを特徴とする受信ダイバーシティシステム。
【請求項９】
請求項８に記載の受信ダイバーシティシステムにおいて、
前記ディジタル信号処理部は、前記基準受信ゲインとして、前記新たな系統で用いた複数の過去受信ゲインにそれぞれ所定の重み付けをして集計した累積受信ゲインを用いることを特徴とする受信ダイバーシティシステム。
【請求項１０】
請求項８に記載の受信ダイバーシティシステムにおいて、
前記ディジタル信号処理部は、前記ゲイン変動量として、直前の間欠動作期間で動作していた系統の受信ゲインのうち前回動作した間欠動作期間を代表する受信ゲインと前々回動作した間欠動作期間を代表する受信ゲインとの差分を用いることを特徴とする受信ダイバーシティシステム。
【請求項１１】
請求項８に記載の受信ダイバーシティシステムにおいて、
前記ディジタル信号処理部は、前記ゲイン変動量として、直前の間欠動作期間で動作していた系統の前回動作した間欠動作期間を代表する受信ゲインと当該系統の複数の過去受信ゲインにそれぞれ所定の重み付けをして集計した累積受信ゲインとの差分を用いることを特徴とする受信ダイバーシティシステム。
【請求項１２】
請求項１に記載の受信ダイバーシティシステムにおいて、
前記ディジタル信号処理部は、任意の過去受信ゲインから得られた推定基準となる基準受信ゲインを、受信ゲインの変動傾向を示すゲイン変動量に所定の係数を乗算した変動値を加算して補正し、得られた補正受信ゲインを前記初期受信ゲインとして用いることを特徴とする受信ダイバーシティシステム。
【請求項１３】
請求項１２に記載の受信ダイバーシティシステムにおいて、
前記ディジタル信号処理部は、前記係数として、前記変動値の変動幅が前記基準受信ゲインの変動幅より小さくなる値を用いることを特徴とする受信ダイバーシティシステム。
【請求項１４】
請求項１２に記載の受信ダイバーシティシステムにおいて、
前記ディジタル信号処理部は、前記係数として、前記変動値の変動幅が前記基準受信ゲインの変動幅以上となる値を用いることを特徴とする受信ダイバーシティシステム。
【請求項１５】
請求項１２に記載の受信ダイバーシティシステムにおいて、
前記ディジタル信号処理部は、当該無線装置の動作状況に応じて前記係数の値を適応的に調整することを特徴とする受信ダイバーシティシステム。
【請求項１６】
請求項１に記載の受信ダイバーシティシステムにおいて、
前記ディジタル信号処理部は、任意の過去受信ゲインから得られた推定基準となる基準受信ゲインを、前記新たな系統を代表する受信ゲインと直前の間欠動作期間で動作していた系統を代表する受信ゲインとのゲイン比で補正し、得られた補正受信ゲインを前記初期受信ゲインとして用いることを特徴とする受信ダイバーシティシステム。
【請求項１７】
請求項１に記載の受信ダイバーシティシステムにおいて、
前記制御部は、前記各系統を複数の系統群に分け、前記間欠動作期間ごとに前記各系統群のうちの所定系統群に属する系統のみ動作させ他の系統群に属する系統を停止させることを特徴とする受信ダイバーシティシステム。
【請求項１８】
請求項１７に記載の受信ダイバーシティシステムにおいて、
前記ディジタル信号処理部は、次の間欠動作期間の到来に応じて動作させる新たな系統群に属する各系統の最初の受信ゲインとして、直前の間欠動作期間で動作していた系統群の各系統で用いた任意の過去受信ゲインからそれぞれ推定した初期受信ゲインを用いることを特徴とする受信ダイバーシティシステム。
【請求項１９】
請求項１７に記載の受信ダイバーシティシステムにおいて、
前記ディジタル信号処理部は、受信動作を再開する新たな系統群の系統ごとに、当該系統の初期受信ゲインの基準となる基準受信ゲインを、受信ゲイン変動を示す所定のゲイン変動量で補正し、得られた補正受信ゲインを前記各系統の初期受信ゲインとして用いることを特徴とする受信ダイバーシティシステム。
【請求項２０】
無線装置で用いられ、受信した電波を個別に復調する複数の系統を切替制御して所望の受信データを得る受信ダイバーシティシステムにおいて、
個々のアンテナで受信した電波を系統ごとに個々の受信ゲインで増幅して復調しアナログ受信信号をそれぞれ出力するＲＦ部と、
このＲＦ部からの各アナログ受信信号を系統ごとにＡＤ変換しディジタル受信信号としてそれぞれ出力するアナログ信号処理部と、
このアナログ信号処理部からの各ディジタル受信信号を復号化および合成し所望の受信情報として出力するとともに、前記各ディジタル受信信号の受信レベルに基づき前記ＲＦ部における各系統の受信ゲインを逐次調整するディジタル信号処理部と、
少なくとも前記ＲＦ部について、間欠受信動作における間欠動作期間ごとに前記各系統のうちの所定系統のみ動作させ他の系統を停止させるとともに、間欠受信動作における間欠停止期間に前記各系統をすべて停止させる制御部とを備え、
前記ディジタル信号処理部は、前記間欠動作期間ごとに、当該間欠動作期間で動作させた新たな系統のディジタル受信信号から当該新たな系統の受信品質を算出して記憶するとともに、この算出により得られた前記新たな系統の当該間欠動作期間における受信品質と推定により得られた他の停止している停止系統の当該間欠動作期間における受信品質とから前記系統のすべてを動作させた場合に得られるトータル受信品質を算出することを特徴とする受信ダイバーシティシステム。
【請求項２１】
請求項２０に記載の受信ダイバーシティシステムにおいて、
前記ディジタル信号処理部は、当該停止系統の当該間欠動作期間における受信品質として、前記停止系統で過去に得られた任意の受信品質を用いることを特徴とする受信ダイバーシティシステム。
【請求項２２】
請求項２０に記載の受信ダイバーシティシステムにおいて、
前記ディジタル信号処理部は、当該停止系統の当該間欠動作期間における受信品質として、前記停止系統の前回動作した間欠動作期間で得られた受信品質を用いることを特徴とする受信ダイバーシティシステム。
【請求項２３】
請求項２０に記載の受信ダイバーシティシステムにおいて、
前記ディジタル信号処理部は、当該停止系統の当該間欠動作期間における受信品質として、前記新たな系統の当該間欠動作期間における受信品質を用いることを特徴とする受信ダイバーシティシステム。
【請求項２４】
請求項２０に記載の受信ダイバーシティシステムにおいて、
前記ディジタル信号処理部は、当該停止系統の当該間欠動作期間における受信品質として、前記新たな系統で過去に得られた複数の受信品質から算出した統計量を用いることを特徴とする受信ダイバーシティシステム。
【請求項２５】
請求項２０に記載の受信ダイバーシティシステムにおいて、
前記ディジタル信号処理部は、当該停止系統の当該間欠動作期間における受信品質として、前記停止系統で過去に得られた複数の受信品質から算出した統計量を用いることを特徴とする受信ダイバーシティシステム。
【請求項２６】
請求項２５に記載の受信ダイバーシティシステムにおいて、
前記ディジタル信号処理部は、前記統計量として、前記停止系統で過去に得られた複数の受信品質に所定の重み付けをして集計した累積受信品質を用いることを特徴とする受信ダイバーシティシステム。
【請求項２７】
請求項２０に記載の受信ダイバーシティシステムにおいて、
前記ディジタル信号処理部は、任意の過去受信品質から得られた推定基準となる基準受信品質を、受信品質の変動傾向を示す品質変動量で補正し、得られた補正受信品質を当該停止系統の当該間欠動作期間における受信品質として用いることを特徴とする受信ダイバーシティシステム。
【請求項２８】
請求項２７に記載の受信ダイバーシティシステムにおいて、
前記ディジタル信号処理部は、前記品質変動量に所定の係数を乗算した変動値と前記基準受信品質との和から前記補正受信品質を算出することを特徴とする受信ダイバーシティシステム。
【請求項２９】
請求項２０に記載の受信ダイバーシティシステムにおいて、
前記ディジタル信号処理部は、任意の過去受信品質から得られた推定基準となる基準受信品質を、前記新たな系統を代表する受信品質と前記停止系統を代表する受信品質との品質比で補正し、得られた補正受信品質を当該停止系統の当該間欠動作期間における受信品質として用いることを特徴とする受信ダイバーシティシステム。
【請求項３０】
請求項２０に記載の受信ダイバーシティシステムにおいて、
前記制御部は、前記各系統を複数の系統群に分けて制御し、前記間欠動作期間ごとに前記各系統群のうちの所定系統群に属する系統のみ動作させ他の系統群に属する系統を停止させることを特徴とする受信ダイバーシティシステム。
【請求項３１】
請求項１または請求項２０に記載の受信ダイバーシティシステムにおいて、
前記制御部は、前記各系統のいずれか１つ以上の系統からなる主系統を前記各間欠動作期間に共通して動作させるとともに、前記主系統以外のいずれか１つ以上系統からなる副系統を前記間欠動作期間ごとに切り替えて動作させることを特徴とする受信ダイバーシティシステム。
【請求項３２】
請求項３１に記載の受信ダイバーシティシステムにおいて、
前記制御部は、前記各系統のアンテナの方向に応じて前記主系統を選択することを特徴とする受信ダイバーシティシステム。
【請求項３３】
請求項３１に記載の受信ダイバーシティシステムにおいて、
当該無線装置は、折りたたみ式の携帯電話端末からなり、
前記制御部は、前記携帯電話端末の折りたたみの開閉状態に応じて前記主系統を選択することを特徴とする受信ダイバーシティシステム。
【請求項３４】
無線装置で用いられ、個々のアンテナで受信した電波をＲＦ部で系統ごとに個々の受信ゲインで増幅して復調したアナログ受信信号をアナログ信号処理部で系統ごとにＡＤ変換し、得られたディジタル受信信号をディジタル信号処理部で復号化および合成し所望の受信情報として出力するとともに、制御部で間欠受信動作における間欠動作期間ごとに各系統の動作を切替制御する受信ダイバーシティシステムの制御方法において、
前記制御部で、少なくとも前記ＲＦ部について、間欠受信動作における間欠動作期間ごとに前記各系統のうちの所定系統のみ動作させ他の系統を停止させるとともに、間欠受信動作における間欠停止期間に前記各系統をすべて停止させるステップと、
前記ディジタル信号処理部で、前記各ディジタル受信信号の受信レベルに基づき各系統の受信ゲインを逐次調整し、その調整に用いた任意の受信ゲインを記憶するステップと、
前記ディジタル信号処理部で、次の間欠動作期間の到来に応じて動作させる新たな系統の最初の受信ゲインとして、過去の間欠動作期間で用いた任意の過去受信ゲインから推定した初期受信ゲインを前記ＲＦ部へ設定するステップとを備えることを特徴とする受信ダイバーシティシステムの制御方法。
【請求項３５】
請求項３４に記載の受信ダイバーシティシステムの制御方法において、
前記ディジタル信号処理部で、前記初期受信ゲインとして、任意の系統が前回動作した間欠動作期間内で最後に用いた過去受信ゲインを用いることを特徴とする受信ダイバーシティシステムの制御方法。
【請求項３６】
請求項３４に記載の受信ダイバーシティシステムの制御方法において、
前記ディジタル信号処理部で、前記初期受信ゲインとして、直前の間欠動作期間で動作していた系統で用いた任意の過去受信ゲインを用いることを特徴とする受信ダイバーシティシステムの制御方法。
【請求項３７】
請求項３４に記載の受信ダイバーシティシステムの制御方法において、
前記ディジタル信号処理部で、前記初期受信ゲインとして、前記新たな系統で用いた任意の過去受信ゲインを用いることを特徴とする受信ダイバーシティシステムの制御方法。
【請求項３８】
請求項３４に記載の受信ダイバーシティシステムの制御方法において、
前記ディジタル信号処理部で、前記初期受信ゲインとして、過去の間欠動作期間で用いた複数の過去受信ゲインから算出した統計量を用いることを特徴とする受信ダイバーシティシステムの制御方法。
【請求項３９】
請求項３８に記載の受信ダイバーシティシステムの制御方法において、
前記ディジタル信号処理部で、前記統計量として、前記新たな系統で用いた複数の過去受信ゲインにそれぞれ所定の重み付けをして集計した累積受信ゲインを用いることを特徴とする受信ダイバーシティシステムの制御方法。
【請求項４０】
請求項３８に記載の受信ダイバーシティシステムの制御方法において、
前記ディジタル信号処理部で、前記統計量として、直前の間欠動作期間で動作していた系統で用いた複数の過去受信ゲインにそれぞれ所定の重み付けをして集計した累積受信ゲインを用いることを特徴とする受信ダイバーシティシステムの制御方法。
【請求項４１】
請求項３４に記載の受信ダイバーシティシステムの制御方法において、
前記ディジタル信号処理部で、任意の過去受信ゲインから得られた推定基準となる基準受信ゲインを、受信ゲインの変動傾向を示すゲイン変動量で補正し、得られた補正受信ゲインを前記初期受信ゲインとして用いることを特徴とする受信ダイバーシティシステムの制御方法。
【請求項４２】
請求項４１に記載の受信ダイバーシティシステムの制御方法において、
前記ディジタル信号処理部で、前記基準受信ゲインとして、前記新たな系統で用いた複数の過去受信ゲインにそれぞれ所定の重み付けをして集計した累積受信ゲインを用いることを特徴とする受信ダイバーシティシステムの制御方法。
【請求項４３】
請求項４１に記載の受信ダイバーシティシステムの制御方法において、
前記ディジタル信号処理部で、前記ゲイン変動量として、直前の間欠動作期間で動作していた系統の受信ゲインのうち前回動作した間欠動作期間を代表する受信ゲインと前々回動作した間欠動作期間を代表する受信ゲインとの差分を用いることを特徴とする受信ダイバーシティシステムの制御方法。
【請求項４４】
請求項４１に記載の受信ダイバーシティシステムの制御方法において、
前記ディジタル信号処理部で、前記ゲイン変動量として、直前の間欠動作期間で動作していた系統の前回動作した間欠動作期間を代表する受信ゲインと当該系統の複数の過去受信ゲインにそれぞれ所定の重み付けをして集計した累積受信ゲインとの差分を用いることを特徴とする受信ダイバーシティシステムの制御方法。
【請求項４５】
請求項３４に記載の受信ダイバーシティシステムの制御方法において、
前記ディジタル信号処理部で、任意の過去受信ゲインから得られた推定基準となる基準受信ゲインを、受信ゲインの変動傾向を示すゲイン変動量に所定の係数を乗算した変動値を加算して補正し、得られた補正受信ゲインを前記初期受信ゲインとして用いることを特徴とする受信ダイバーシティシステムの制御方法。
【請求項４６】
請求項４５に記載の受信ダイバーシティシステムの制御方法において、
前記ディジタル信号処理部で、前記係数として、前記変動値の変動幅が前記基準受信ゲインの変動幅より小さくなる値を用いることを特徴とする受信ダイバーシティシステムの制御方法。
【請求項４７】
請求項４５に記載の受信ダイバーシティシステムの制御方法において、
前記ディジタル信号処理部で、前記係数として、前記変動値の変動幅が前記基準受信ゲインの変動幅以上となる値を用いることを特徴とする受信ダイバーシティシステムの制御方法。
【請求項４８】
請求項４５に記載の受信ダイバーシティシステムの制御方法において、
前記ディジタル信号処理部で、当該無線装置の動作状況に応じて前記係数の値を適応的に調整することを特徴とする受信ダイバーシティシステムの制御方法。
【請求項４９】
請求項３４に記載の受信ダイバーシティシステムの制御方法において、
前記ディジタル信号処理部で、任意の過去受信ゲインから得られた推定基準となる基準受信ゲインを、前記新たな系統を代表する受信ゲインと直前の間欠動作期間で動作していた系統を代表する受信ゲインとのゲイン比で補正し、得られた補正受信ゲインを前記初期受信ゲインとして用いることを特徴とする受信ダイバーシティシステムの制御方法。
【請求項５０】
請求項３４に記載の受信ダイバーシティシステムの制御方法において、
前記制御部で、前記各系統を複数の系統群に分け、前記間欠動作期間ごとに前記各系統群のうちの所定系統群に属する系統のみ動作させ他の系統群に属する系統を停止させるステップをさらに備えることを特徴とする受信ダイバーシティシステムの制御方法。
【請求項５１】
請求項５０に記載の受信ダイバーシティシステムの制御方法において、
前記ディジタル信号処理部で、次の間欠動作期間の到来に応じて動作させる新たな系統群に属する各系統の最初の受信ゲインとして、直前の間欠動作期間で動作していた系統群の各系統で用いた任意の過去受信ゲインからそれぞれ推定した初期受信ゲインを用いることを特徴とする受信ダイバーシティシステムの制御方法。
【請求項５２】
請求項５０に記載の受信ダイバーシティシステムの制御方法において、
前記ディジタル信号処理部で、受信動作を再開する新たな系統群の系統ごとに、当該系統の初期受信ゲインの基準となる基準受信ゲインを、受信ゲイン変動を示す所定のゲイン変動量で補正し、得られた補正受信ゲインを当該系統の初期受信ゲインとして用いることを特徴とする受信ダイバーシティシステムの制御方法。
【請求項５３】
無線装置で用いられ、個々のアンテナで受信した電波をＲＦ部で系統ごとに個々の受信ゲインで増幅して復調したアナログ受信信号をアナログ信号処理部で系統ごとにＡＤ変換し、得られたディジタル受信信号をディジタル信号処理部で復号化および合成し所望の受信情報として出力するとともに、制御部で間欠受信動作における間欠動作期間ごとに各系統の動作を切替制御する受信ダイバーシティシステムの制御方法において、
前記制御部で、少なくとも前記ＲＦ部について、間欠受信動作における間欠動作期間ごとに前記各系統のうちの所定系統のみ動作させ他の系統を停止させるとともに、間欠受信動作における間欠停止期間に前記各系統をすべて停止させるステップと、
前記ディジタル信号処理部で、前記各ディジタル受信信号の受信レベルに基づき各系統の受信ゲインを逐次調整するステップと、
前記ディジタル信号処理部で、前記間欠動作期間ごとに、当該間欠動作期間で動作させた新たな系統のディジタル受信信号から当該新たな系統の受信品質を算出して記憶するとともに、この算出により得られた前記新たな系統の当該間欠動作期間における受信品質と推定により得られた他の停止している停止系統の当該間欠動作期間における受信品質とから前記系統のすべてを動作させた場合に得られるトータル受信品質を算出するステップとを備えることを特徴とする受信ダイバーシティシステムの制御方法。
【請求項５４】
請求項５３に記載の受信ダイバーシティシステムの制御方法において、
前記ディジタル信号処理部で、当該停止系統の当該間欠動作期間における受信品質として、前記停止系統で過去に得られた任意の受信品質を用いることを特徴とする受信ダイバーシティシステムの制御方法。
【請求項５５】
請求項５３に記載の受信ダイバーシティシステムの制御方法において、
前記ディジタル信号処理部で、当該停止系統の当該間欠動作期間における受信品質として、前記停止系統の前回動作した間欠動作期間で得られた受信品質を用いることを特徴とする受信ダイバーシティシステムの制御方法。
【請求項５６】
請求項５３に記載の受信ダイバーシティシステムの制御方法において、
前記ディジタル信号処理部で、当該停止系統の当該間欠動作期間における受信品質として、前記新たな系統の当該間欠動作期間における受信品質を用いることを特徴とする受信ダイバーシティシステムの制御方法。
【請求項５７】
請求項５３に記載の受信ダイバーシティシステムの制御方法において、
前記ディジタル信号処理部で、当該停止系統の当該間欠動作期間における受信品質として、前記新たな系統で過去に得られた複数の受信品質から算出した統計量を用いることを特徴とする受信ダイバーシティシステムの制御方法。
【請求項５８】
請求項５３に記載の受信ダイバーシティシステムの制御方法において、
前記ディジタル信号処理部で、当該停止系統の当該間欠動作期間における受信品質として、前記停止系統で過去に得られた複数の受信品質から算出した統計量を用いることを特徴とする受信ダイバーシティシステムの制御方法。
【請求項５９】
請求項５８に記載の受信ダイバーシティシステムの制御方法において、
前記ディジタル信号処理部で、前記統計量として、前記停止系統で過去に得られた複数の受信品質に所定の重み付けをして集計した累積受信品質を用いることを特徴とする受信ダイバーシティシステムの制御方法。
【請求項６０】
請求項５３に記載の受信ダイバーシティシステムの制御方法において、
前記ディジタル信号処理部で、任意の過去受信品質から得られた推定基準となる基準受信品質を、受信品質の変動傾向を示す品質変動量で補正し、得られた補正受信品質を当該停止系統の当該間欠動作期間における受信品質として用いることを特徴とする受信ダイバーシティシステムの制御方法。
【請求項６１】
請求項６０に記載の受信ダイバーシティシステムの制御方法において、
前記ディジタル信号処理部で、前記品質変動量に所定の係数を乗算した変動値と前記基準受信品質との和から前記補正受信品質を算出することを特徴とする受信ダイバーシティシステムの制御方法。
【請求項６２】
請求項５３に記載の受信ダイバーシティシステムの制御方法において、
前記ディジタル信号処理部で、任意の過去受信品質から得られた基準受信品質を、前記新たな系統を代表する受信品質と前記停止系統を代表する受信品質との品質比で補正し、得られた補正受信品質を当該停止系統の当該間欠動作期間における受信品質として用いることを特徴とする受信ダイバーシティシステムの制御方法。
【請求項６３】
請求項５３に記載の受信ダイバーシティシステムの制御方法において、
前記制御部で、前記各系統を複数の系統群に分けて制御し、前記間欠動作期間ごとに前記各系統群のうちの所定系統群に属する系統のみ動作させ他の系統群に属する系統を停止させるステップをさらに備えることを特徴とする受信ダイバーシティシステムの制御方法。
【請求項６４】
請求項３４または請求項５３に記載の受信ダイバーシティシステムの制御方法において、
前記制御部で、前記各系統のいずれか１つ以上の系統からなる主系統を前記各間欠動作期間に共通して動作させるとともに、前記主系統以外のいずれか１つ以上系統からなる副系統を前記間欠動作期間ごとに切り替えて動作させるステップをさらに備えることを特徴とする受信ダイバーシティシステムの制御方法。
【請求項６５】
請求項６４に記載の受信ダイバーシティシステムの制御方法において、
前記制御部で、前記各系統のアンテナの方向に応じて前記主系統を選択するステップをさらに備えることを特徴とする受信ダイバーシティシステムの制御方法。
【請求項６６】
請求項６４に記載の受信ダイバーシティシステムの制御方法において、
当該無線装置は、折りたたみ式の携帯電話端末からなり、
前記制御部で、前記携帯電話端末の折りたたみの開閉状態に応じて前記主系統を選択するステップをさらに備えることを特徴とする受信ダイバーシティシステムの制御方法。
【発明の詳細な説明】
【技術分野】
【０００１】
本発明は、無線通信技術に関し、特に受信電波を個別に復調する複数の系統を切替制御して所望の受信データを得る受信ダイバーシティシステムの制御技術に関する。
【背景技術】
【０００２】
携帯電話端末などの無線端末では、基地局などの無線装置から送信された電波として、基地局から無線端末へ直接届く直接波以外に、建物などの障害物に反射して届く反射波も受信される。
この際、反射波は、直接波と比較してその伝搬距離が異なるため、基地局から同一タイミングで送信された電波でも、無線端末で受信されるタイミングにずれを生じる。したがって、これら電波が互いに干渉し、無線端末で受信される電波が一定周期で強弱を繰り返す現象、すなわちフェージングが発生する。
【０００３】
このようなフェージングの影響を抑制するため、従来より、受信ダイバーシティシステムが広く利用され、無線端末に組み込まれている。
図１７に、従来の受信ダイバーシティシステムの構成例を示す。この受信ダイバーシティシステムには、ＲＦ部１１、アナログ信号処理部１２、ディジタル信号処理部１３、制御部１４、記憶部１５、および電源部１６が設けられている。
【０００４】
ＲＦ部１１は、各アンテナからの受信電波を系統１〜Ｎごとに復調しアナログ受信信号を出力する。アナログ信号処理部１２は、ＲＦ部１１からのアナログ受信信号をＡＤ変換し系統１〜Ｎごとにディジタル受信信号として出力する。ディジタル信号処理部１３は、アナログ信号処理部１２からのディジタル受信信号を系統１〜Ｎごとに復号化および合成し受信情報として出力するとともに、系統１〜Ｎの信号ごとに行ったレベル計算の結果に基づきＲＦ部１１における系統１〜Ｎごとの受信ゲインを調整する。
【０００５】
制御部１４は、ディジタル信号処理部１３からの受信情報に基づきＲＦ部１１、アナログ信号処理部１２、およびディジタル信号処理部１３に対して各系統１〜Ｎでの動作を指示する。記憶部１５は、制御部１４での制御処理に必要な各種情報を記憶する。電源部１６は、ＲＦ部１１、アナログ信号処理部１２、ディジタル信号処理部１３、制御部１４、および記憶部１５に対して動作に必要な電源を供給する。
【０００６】
このように、従来の受信ダイバーシティシステムでは、ＲＦ部１１、アナログ信号処理部１２、およびディジタル信号処理部１３に、受信電波をそれぞれ処理する複数の系統１〜Ｎを並列して設け、各系統１〜Ｎから得られる複数の受信信号を合成したり切り替えたりすることで、受信電波の受信品質、例えばＳＮＲ（Signal to Noise Ratio）やＳＩＲ（Signal to Interference Ratio）を改善し、あるいはレベル変動を抑制して安定化させ、フェージングの影響を抑制するものとなっていた。
【０００７】
なお、出願人は、本明細書に記載した先行技術文献情報で特定される先行技術文献以外には、本発明に関連する先行技術文献を出願時までに発見するには至らなかった。
【特許文献１】特開平０６−１８８７９０号公報
【発明の開示】
【発明が解決しようとする課題】
【０００８】
このような受信ダイバーシティシステムでは、図１８に示すように、例えば待ち受け時間において各系統１〜Ｎを同期させて間欠受信動作させ、各系統の受信ゲインを調整し、各系統の受信信号を合成して得られる全体の受信品質を改善しているため、これら系統の数の分だけ消費電力が増加する。このため、携帯電話端末など２次電池で動作する無線端末に従来の受信ダイバーシティを組み込んだ場合、受信ダイバーシティシステムを組み込まないものと比べて２次電池の消費が大きく、通話時間や待ち受け時間など２次電池により無線端末を使用できる期間が大幅に減少する。
【０００９】
したがって、このような電力消費を抑制するため、従来の受信ダイバーシティシステムにおいて、図１９に示すように、例えば待ち受け時間などの間欠受信動作時において、その間欠動作期間ごとに複数系統のうち１系統のみ動作させるとともに他の系統を停止させ、間欠停止期間にすべての系統を停止させる方法が考えられる。
【００１０】
しかしながら、従来の受信ダイバーシティシステムにおいて、間欠動作期間ごとに複数系統のうち１系統のみ動作させ他の系統を停止させた場合、受信ダイバーシティシステムに必要とされる本来の機能を効果的に利用することができないという問題点があった。
例えば、従来の受信ダイバーシティシステムにおいて、選択していない系統の動作を単に停止させた場合、当該系統では間欠停止期間中における受信レベル変動を把握できず、次の間欠動作期間での受信動作再開時には、例えば予め固定的に決定されている受信ゲインを用いることになり、上記受信レベルの変動に追従して受信ゲインをうまく調整できないという問題点があった。
【００１１】
また、従来の受信ダイバーシティシステムにおいて、間欠動作期間にいずれかの系統のみを動作させ他の系統を停止させた場合、すべての系統を並列的に動作させて得られた受信信号を合成した際のＳＮＲ値やＳＩＲ値などのトータル受信品質を把握できないことから、例えば無線電話システムでのセル切替判定などの受信制御を適切に行うことができず、受信ダイバーシティシステムによる受信品質の改善などのメリットを享受できないという問題点があった。
本発明はこのような課題を解決するためのものであり、間欠受信動作時における電力消費を抑制しつつ、受信ダイバーシティシステムが持つ本来の機能を効果的に利用できる受信ダイバーシティシステムおよびその制御方法を提供することを目的としている。
【課題を解決するための手段】
【００１２】
このような目的を達成するために、本発明にかかる受信ダイバーシティシステムは、無線装置で用いられ、受信した電波を個別に復調する複数の系統を切替制御して所望の受信データを得る受信ダイバーシティシステムにおいて、個々のアンテナで受信した電波を系統ごとに個々の受信ゲインで増幅して復調しアナログ受信信号をそれぞれ出力するＲＦ部と、このＲＦ部からの各アナログ受信信号を系統ごとにＡＤ変換しディジタル受信信号としてそれぞれ出力するアナログ信号処理部と、このアナログ信号処理部からの各ディジタル受信信号を復号化および合成し所望の受信情報として出力するとともに、各ディジタル受信信号の受信レベルに基づきＲＦ部における各系統の受信ゲインを逐次調整し、その調整に用いた任意の受信ゲインを記憶するディジタル信号処理部と、少なくともＲＦ部について、間欠受信動作における間欠動作期間ごとに各系統のうちの所定系統のみ動作させ他の系統を停止させるとともに、間欠受信動作における間欠停止期間に各系統をすべて停止させる制御部とを備え、ディジタル信号処理部で、次の間欠動作期間の到来に応じて動作させる新たな系統の最初の受信ゲインとして、過去の間欠動作期間で用いた任意の過去受信ゲインから推定した初期受信ゲインをＲＦ部へ設定するようにしたものである。
【００１３】
この際、ディジタル信号処理部で、初期受信ゲインとして、任意の系統が前回動作した間欠動作期間内で最後に用いた過去受信ゲインを用いてもよく、このほか、直前の間欠動作期間で動作していた系統で用いた任意の過去受信ゲインや、あるいは新たな系統で用いた任意の過去受信ゲインを用いてもよい。
【００１４】
また、ディジタル信号処理部で、初期受信ゲインとして、過去の間欠動作期間で用いた複数の過去受信ゲインから算出した統計量を用いるようにしてもよい。
この際、より具体的には、統計量として、新たな系統で用いた複数の過去受信ゲインにそれぞれ所定の重み付けをして集計した累積受信ゲインを用いてもよく、あるいは直前の間欠動作期間で動作していた系統で用いた複数の過去受信ゲインにそれぞれ所定の重み付けをして集計した累積受信ゲインを用いてもよい。
【００１５】
また、ディジタル信号処理部で、任意の過去受信ゲインから得られた推定基準となる基準受信ゲインを、受信ゲインの変動傾向を示すゲイン変動量で補正し、得られた補正受信ゲインを初期受信ゲインとして用いるようにしてもよい。
この際、より具体的には、基準受信ゲインとして、新たな系統で用いた複数の過去受信ゲインにそれぞれ所定の重み付けをして集計した累積受信ゲインを用いてもよい。
【００１６】
あるいは、ゲイン変動量として、直前の間欠動作期間で動作していた系統の受信ゲインのうち前回動作した間欠動作期間を代表する受信ゲインと前々回動作した間欠動作期間を代表する受信ゲインとの差分を用いてもよく、直前の間欠動作期間で動作していた系統の前回動作した間欠動作期間を代表する受信ゲインと当該系統の複数の過去受信ゲインにそれぞれ所定の重み付けをして集計した累積受信ゲインとの差分を用いてもよい。
【００１７】
また、ディジタル信号処理部で、任意の過去受信ゲインから得られた推定基準となる基準受信ゲインを、受信ゲインの変動傾向を示すゲイン変動量に所定の係数を乗算した変動値を加算して補正し、得られた補正受信ゲインを初期受信ゲインとして用いるようにしてもよい。
【００１８】
この際、より具体的には、係数として、変動値の変動幅が基準受信ゲインの変動幅より小さくなる値を用いてもよく、変動値の変動幅が基準受信ゲインの変動幅以上となる値を用いてもよい。
さらに、ディジタル信号処理部で、当該無線装置の動作状況に応じて係数の値を適応的に調整するようにしてもよい。
【００１９】
また、ディジタル信号処理部で、任意の過去受信ゲインから得られた推定基準となる基準受信ゲインを、新たな系統を代表する受信ゲインと直前の間欠動作期間で動作していた系統を代表する受信ゲインとのゲイン比で補正し、得られた補正受信ゲインを初期受信ゲインとして用いるようにしてもよい。
【００２０】
また、系統の切替制御については、制御部で、各系統を複数の系統群に分け、間欠動作期間ごとに各系統群のうちの所定系統群に属する系統のみ動作させ他の系統群に属する系統を停止させるようにしてもよい。
【００２１】
この際、ディジタル信号処理部で、次の間欠動作期間の到来に応じて動作させる新たな系統群に属する各系統の最初の受信ゲインとして、直前の間欠動作期間で動作していた系統群の各系統で用いた任意の過去受信ゲインからそれぞれ推定した初期受信ゲインを用いてもよい。
【００２２】
あるいは、ディジタル信号処理部で、受信動作を再開する新たな系統群の系統ごとに、当該系統の初期受信ゲインの基準となる基準受信ゲインを、受信ゲイン変動を示す所定のゲイン変動量で補正し、得られた補正受信ゲインを各系統の初期受信ゲインとして用いてもよい。
【００２３】
また、本発明にかかる他の受信ダイバーシティシステムは、無線装置で用いられ、受信した電波を個別に復調する複数の系統を切替制御して所望の受信データを得る受信ダイバーシティシステムにおいて、個々のアンテナで受信した電波を系統ごとに個々の受信ゲインで増幅して復調しアナログ受信信号をそれぞれ出力するＲＦ部と、このＲＦ部からの各アナログ受信信号を系統ごとにＡＤ変換しディジタル受信信号としてそれぞれ出力するアナログ信号処理部と、このアナログ信号処理部からの各ディジタル受信信号を復号化および合成し所望の受信情報として出力するとともに、各ディジタル受信信号の受信レベルに基づきＲＦ部における各系統の受信ゲインを逐次調整するディジタル信号処理部と、少なくともＲＦ部について、間欠受信動作における間欠動作期間ごとに各系統のうちの所定系統のみ動作させ他の系統を停止させるとともに、間欠受信動作における間欠停止期間に各系統をすべて停止させる制御部とを備え、ディジタル信号処理部で、間欠動作期間ごとに、当該間欠動作期間で動作させた新たな系統のディジタル受信信号から当該新たな系統の受信品質を算出して記憶するとともに、この算出により得られた新たな系統の当該間欠動作期間における受信品質と推定により得られた他の停止している停止系統の当該間欠動作期間における受信品質とから系統のすべてを動作させた場合に得られるトータル受信品質を算出するようにしたものである。
【００２４】
この際、ディジタル信号処理部で、当該停止系統の当該間欠動作期間における受信品質として、停止系統で過去に得られた任意の受信品質を用いてもよく、このほか、停止系統の前回動作した間欠動作期間で得られた受信品質や、あるいは新たな系統の当該間欠動作期間における受信品質を用いてもよい。
【００２５】
また、ディジタル信号処理部で、当該停止系統の当該間欠動作期間における受信品質として、新たな系統で過去に得られた複数の受信品質から算出した統計量を用いるようにしてもよい。
【００２６】
また、ディジタル信号処理部で、当該停止系統の当該間欠動作期間における受信品質として、停止系統で過去に得られた複数の受信品質から算出した統計量を用いるようにしてもよい。
この際、より具体的には、統計量として、停止系統で過去に得られた複数の受信品質に所定の重み付けをして集計した累積受信品質を用いてもよい。
【００２７】
また、ディジタル信号処理部で、任意の過去受信品質から得られた推定基準となる基準受信品質を、当該停止系統の受信ゲインの変動傾向を示す品質変動量で補正し、得られた補正受信品質を当該停止系統の当該間欠動作期間における受信品質として用いるようにしてもよい。
この際、より具体的には、ディジタル信号処理部で、品質変動量に所定の係数を乗算した変動値と基準受信品質との和から補正受信品質を算出するようにしてもよい。
【００２８】
また、ディジタル信号処理部で、任意の過去受信品質から得られた推定基準となる基準受信品質を、新たな系統を代表する受信品質と停止系統を代表する受信品質との品質比で補正し、得られた補正受信ゲインを当該停止系統の当該間欠動作期間における受信品質として用いるようにしてもよい。
【００２９】
また、系統の切替制御については、制御部で、各系統を複数の系統群に分けて制御し、間欠動作期間ごとに各系統群のうちの所定系統群に属する系統のみ動作させ他の系統群に属する系統を停止させるようにしてもよい。
【００３０】
また、系統の切替制御については、制御部で、各系統のいずれか１つ以上の系統からなる主系統を各間欠動作期間に共通して動作させるとともに、主系統以外のいずれか１つ以上系統からなる副系統を間欠動作期間ごとに切り替えて動作させるようにしてもよい。
【００３１】
この際、主系統については、制御部で、各系統のアンテナの方向に応じて主系統を選択するようにしてもよい。
あるいは、当該無線装置は、折りたたみ式の携帯電話端末からなり、制御部で、携帯電話端末の折りたたみの開閉状態に応じて主系統を選択するようにしてもよい。
【００３２】
また、本発明にかかる受信ダイバーシティシステムの制御方法は、無線装置で用いられ、個々のアンテナで受信した電波をＲＦ部で系統ごとに個々の受信ゲインで増幅して復調したアナログ受信信号をアナログ信号処理部で系統ごとにＡＤ変換し、得られたディジタル受信信号をディジタル信号処理部で復号化および合成し所望の受信情報として出力するとともに、制御部で間欠受信動作における間欠動作期間ごとに各系統の動作を切替制御する受信ダイバーシティシステムの制御方法において、制御部で、少なくともＲＦ部について、間欠受信動作における間欠動作期間ごとに各系統のうちの所定系統のみ動作させ他の系統を停止させるとともに、間欠受信動作における間欠停止期間に各系統をすべて停止させるステップと、ディジタル信号処理部で、各ディジタル受信信号の受信レベルに基づき各系統の受信ゲインを逐次調整し、その調整に用いた任意の受信ゲインを記憶するステップと、ディジタル信号処理部で、次の間欠動作期間の到来に応じて動作させる新たな系統の最初の受信ゲインとして、過去の間欠動作期間で用いた任意の過去受信ゲインから推定した初期受信ゲインをＲＦ部へ設定するステップとを備えるものである。
【００３３】
また、本発明にかかる他の受信ダイバーシティシステムの制御方法は、無線装置で用いられ、個々のアンテナで受信した電波をＲＦ部で系統ごとに個々の受信ゲインで増幅して復調したアナログ受信信号をアナログ信号処理部で系統ごとにＡＤ変換し、得られたディジタル受信信号をディジタル信号処理部で復号化および合成し所望の受信情報として出力するとともに、制御部で間欠受信動作における間欠動作期間ごとに各系統の動作を切替制御する受信ダイバーシティシステムの制御方法において、制御部で、少なくともＲＦ部について、間欠受信動作における間欠動作期間ごとに各系統のうちの所定系統のみ動作させ他の系統を停止させるとともに、間欠受信動作における間欠停止期間に各系統をすべて停止させるステップと、ディジタル信号処理部で、各ディジタル受信信号の受信レベルに基づき各系統の受信ゲインを逐次調整するステップと、ディジタル信号処理部で、間欠動作期間ごとに、当該間欠動作期間で動作させた新たな系統のディジタル受信信号から当該新たな系統の受信品質を算出して記憶するとともに、この算出により得られた新たな系統の当該間欠動作期間における受信品質と推定により得られた他の停止している停止系統の当該間欠動作期間における受信品質とから系統のすべてを動作させた場合に得られるトータル受信品質を算出するステップとを備えるものである。
【００３４】
なお、これら受信ダイバーシティシステムの制御方法についての具体例については、前出した本発明にかかる受信ダイバーシティシステムの具体例と同様であり、これらに関する詳細な説明は省略する。
【発明の効果】
【００３５】
本発明によれば、間欠動作期間の到来に応じて動作させる新たな系統の初期受信ゲインとして、過去の間欠動作期間で用いた最終受信ゲインに基づき算出した受信ゲインが用いられるため、動作を再開した系統が停止している間に受信レベルが変動した場合でも、その受信レベルの変動に追従して受信ゲインを調整できる。したがって、各系統における電力消費を抑制し、通話時間や待ち受け時間など２次電池により無線端末を使用できる期間の短縮を回避できるとともに、受信ダイバーシティシステムに必要とされる本来の機能、ここでは受信レベル変動に対する追従機能を維持できる。
【００３６】
また、間欠動作期間ごとに、当該間欠動作期間で動作させた新たな系統で得られた当該間欠動作期間における受信品質と推定により得られた停止系統の当該間欠動作期間における受信品質とからトータル受信品質が算出されるため、間欠動作期間ごとに系統を切替動作させた場合でも、すべての系統を並列的に動作させた場合のトータル受信品質を得ることができる。したがって、各系統における電力消費を抑制し、通話時間や待ち受け時間など２次電池により無線端末を使用できる期間の短縮を回避できるとともに、受信ダイバーシティシステムに必要とされる本来の機能、例えば無線電話システムでのセル切替判定などのトータル受信品質を用いた受信制御を適切に行うことができる。
【発明を実施するための最良の形態】
【００３７】
次に、本発明の実施の形態について図面を参照して説明する。
［第１の実施の形態］
まず、図１を参照して、本発明の第１の実施の形態にかかる受信ダイバーシティシステムについて説明する。図１は本発明の第１の実施の形態にかかる受信ダイバーシティシステムの構成を示すブロック図である。
【００３８】
この受信ダイバーシティシステムは、受信電波に対するフェージングの影響を抑制するため、例えば携帯電話端末などの無線端末（無線装置）に組み込まれる受信制御システムであり、受信電波を受信して復調する複数の系統を有し、これら系統から得られる受信信号を合成しあるいは切り替えることで、受信電波の受信品質あるいはレベル変動を抑制して安定化させるものである。
【００３９】
本実施の形態では、受信ダイバーシティシステムにおいて、間欠受信動作時に限定して複数系統のうち１系統のみ動作させ他の系統を停止させることにより、各系統における電力消費を抑制し、通話時間や待ち受け時間など２次電池により無線端末を使用できる期間の短縮を回避するようにしたものである。
これに加えて、任意の系統で受信動作を再開する際、その動作再開時の受信ゲインとして、任意の系統での過去の受信動作で用いた受信ゲインから推定した初期受信ゲインを用いるようにしたものである。
【００４０】
［受信ダイバーシティシステムの構成］
次に、図１を参照して、本実施の形態にかかる受信ダイバーシティシステムの構成について説明する。
この受信ダイバーシティシステムには、ＲＦ部１１、アナログ信号処理部１２、ディジタル信号処理部１３、制御部１４、記憶部１５、および電源部１６が設けられている。本実施の形態では、受信電波を復調して受信データを得る系統として、２つ系統を設けた場合を例として説明する。
【００４１】
ＲＦ部１１は、それぞれの系統ごとに系統１回路１１Ａおよび系統２回路１１Ｂを有し、各アンテナからの受信電波を各系統の回路１１Ａ，１１Ｂで復調しアナログ受信信号を出力する回路部である。
アナログ信号処理部１２は、系統ごとに系統１回路１２Ａおよび系統２回路１２Ｂを有し、ＲＦ部１１からのアナログ受信信号を各系統の回路１２Ａ，１２ＢでＡＤ変換し、ディジタル受信信号として出力する回路部である。
【００４２】
ディジタル信号処理部１３は、系統ごとにＤＳＰなどの信号処理回路からなる系統１回路１３Ａおよび系統２回路１３Ｂを有し、アナログ信号処理部１２からのディジタル受信信号を各系統の回路１３Ａ，１３Ｂで復号化および合成し受信情報として出力し、各系統で得られた受信信号を合成した際の受信品質、例えばＳＮＲ（Signal to Noise Ratio）やＳＩＲ（Signal to Interference Ratio）を算出して記憶保持し、またＲＦ部１１の各系統の回路１１Ａ，１１Ｂの受信ゲインをそれぞれ調整するとともに記憶保持する機能部である。なお、受信品質や受信ゲインを記憶保持するメモリは、ディジタル信号処理部１３内に設けてもよく、ディジタル信号処理部１３外部のメモリを利用してもよい。
【００４３】
制御部１４は、ＣＰＵなどのマイクロプロセッサとその周辺回路からなり、所定のプログラムを実行することにより、上記ハードウェアとプログラムとを協働させて各種機能手段を実現し、例えばＲＦ部１１、アナログ信号処理部１２、およびディジタル信号処理部１３に設けられた各系統の回路に対して間欠受信動作を指示する制御や、受信ダイバーシティシステムさらには無線端末についての各種制御を行う機能部である。
【００４４】
記憶部１５は、メモリなどの記憶装置からなり、制御部１４での制御処理に必要な各種情報やプログラムを記憶する。
電源部１６は、２次電池などの電源を用いて、ＲＦ部１１、アナログ信号処理部１２、ディジタル信号処理部１３、制御部１４、および記憶部１５に対して動作に必要な電源を供給する回路部である。
なお、ＲＦ部１１、アナログ信号処理部１２、ディジタル信号処理部１３、および制御部１４については、送信信号を処理する機能を有するが、本発明では受信動作に関するものであり、ここでの説明は省略する。
【００４５】
［受信ダイバーシティシステムの動作］
次に、図２および図３を参照して、本発明の第１の実施の形態にかかる受信ダイバーシティシステムの間欠受信動作について説明する。図２は、本発明の第１の実施の形態にかかる受信ダイバーシティシステムの間欠受信動作を示すシーケンス図である。図３は、本発明の第１の実施の形態にかかる受信ダイバーシティシステムでの受信ゲイン算出方法を示す説明図である。ここでは、間欠受信動作における受信動作再開時の初期受信ゲインとして、直前に動作していた系統で最後に設定した受信ゲインすなわち最終設定ゲインを用いる場合を例として説明する。
【００４６】
制御部１４は、例えば無線端末が通話や通信に用いられていない待ち受け時間において、前述した図１９に示すような、複数系統のうち１系統のみ動作させ他の系統を停止させる間欠受信動作を行う。
まず、制御部１４は、系統１の間欠動作期間の到来に応じて、ＲＦ部１１、アナログ信号処理部１２、およびディジタル信号処理部１３に、例えばそれぞれの系統１回路１１Ａ，１２Ａ，１３Ａをオンするよう命令を送る（ステップ１００）。
【００４７】
これに応じて、ＲＦ部１１、アナログ信号処理部１２、およびディジタル信号処理部１３は、それぞれ系統１の回路１１Ａ，１２Ａ，１３Ａをオンさせて回路を動作させる（ステップ１０１）。
そして、ディジタル信号処理部１３は、系統１回路１３Ａにより、ＲＦ部１１の系統２回路１１Ｂでの前回間欠動作期間での動作で用いて記憶保持しておいた最終設定ゲインＧE（２，ｉ−１）を読み出し、ＲＦ部１１の系統１回路１１Ａの初期受信ゲインＧS（１，ｉ）として設定する（ステップ１０２）。
【００４８】
ここで、ＧE（２，ｉ−１）のうち「２」は系統の番号を示し、「ｉ−１」は当該系統における間欠動作の番号を示している。ＧS（１，ｉ）も同様であり、「１」が系統の番号で、「ｉ」が当該系統における間欠動作の番号である。
【００４９】
続いて、ディジタル信号処理部１３は、系統１回路１３Ａにより、ＲＦ部１１の系統１回路１１Ａおよびアナログ信号処理部１２の系統１回路１２Ａを経由して受信した系統１のディジタル受信信号について受信レベルの測定を開始する（ステップ１０３）。
そして、系統１回路１３Ａにより、そのレベル測定結果を基にＲＦ部１１の系統１回路１１Ａに設定するゲインを計算して、そのゲインをＲＦ部１１の系統１回路１１Ａに設定し、これを間欠動作期間中、繰り返し行う（ステップ１０４）。
【００５０】
この際のゲイン計算については、例えば、ディジタル受信信号のレベル測定結果が、ディジタル信号処理部１３の系統１回路１３Ａが必要とするレベルよりＸｄＢ小さい場合、ＸｄＢ分だけＲＦ部１１の系統１回路１１Ａに設定するゲインを上げ、逆にＸｄＢ大きい場合、ＸｄＢ分だけＲＦ部１１の系統１回路１１Ａに設定するゲインを下げるといった方法などがある。
【００５１】
その後、制御部１４は、系統１の間欠停止期間の到来に応じて、ＲＦ部１１、アナログ信号処理部１２、およびディジタル信号処理部１３に、それぞれの系統１回路１１Ａ，１２Ａ，１３Ａをオフするよう命令を送る（ステップ１０５）。
これに応じて、ディジタル信号処理部１３の系統１回路１３Ａは、ステップ１０６においてＲＦ部１１の系統１回路１１Ａに設定した最終設定ゲインであるＧE（１，ｉ）を記憶保持し、受信レベル測定を停止する（ステップ１０７）。
そして、ＲＦ部１１、アナログ信号処理部１２、およびディジタル信号処理部１３は、系統１の回路１１Ａ，１２Ａ，１３Ａをオフさせ、回路動作を停止させる（ステップ１０８）。
【００５２】
その後、制御部１４は、系統２の間欠動作期間の到来に応じて、ＲＦ部１１、アナログ信号処理部１２、およびディジタル信号処理部１３にそれぞれの装置の系統２回路１１Ｂ，１２Ｂ，１３Ｂをオンするよう命令を送る（ステップ１１０）。
これに応じて、ＲＦ部１１、アナログ信号処理部１２、およびディジタル信号処理部１３は、系統２の回路１１Ｂ，１２Ｂ，１３Ｂをオンさせて回路を動作させる（ステップ１１１）。
【００５３】
そして、ディジタル信号処理部１３は、系統２回路１３Ｂにより、ＲＦ部１１の系統１回路１１Ａでの前回動作で用いた最終設定ゲインＧE（１，ｉ）を、ＲＦ部１１の系統２回路１１Ｂの初期受信ゲインＧS（２，ｉ）として設定する（ステップ１１２）。
続いて、ディジタル信号処理部１３は、系統２回路１３Ｂにより、ＲＦ部１１の系統２回路１１Ｂおよびアナログ信号処理部１２の系統２回路１２Ｂを経由して受信した系統２のディジタル受信信号について受信レベルの測定を開始する（ステップ１１３）。
【００５４】
そして、系統２回路１３Ｂにより、そのレベル測定結果を基にＲＦ部１１の系統２回路１１Ｂに設定するゲインを計算して、そのゲインをＲＦ部１１の系統２回路１１Ｂに設定し、これを間欠動作期間中、繰り返し行う（ステップ１１４）。
その後、制御部１４は、系統２の間欠停止期間の到来に応じて、ＲＦ部１１、アナログ信号処理部１２、およびディジタル信号処理部１３に、それぞれの系統２回路１１Ｂ，１２Ｂ，１３Ｂをオフするよう命令を送る（ステップ１１５）。
【００５５】
これに応じて、ディジタル信号処理部１３の系統２回路１３Ｂは、ステップ１１６においてＲＦ部１１の系統２回路１１Ｂに設定した最終設定ゲインであるＧE（２，ｉ）を記憶保持し、受信レベル測定を停止する（ステップ１１７）。
そして、ＲＦ部１１、アナログ信号処理部１２、およびディジタル信号処理部１３は、系統２の回路１１Ｂ，１２Ｂ，１３Ｂをオフさせて、回路動作を停止させ（ステップ１１８）、間欠停止期間へ移行し、上記間欠受信動作が繰り返し行われる。
【００５６】
本実施の形態における初期受信ゲインの推定式を一般化したものを次の式（１）に示す。ここで、ＧS（）は初期受信ゲイン、ＧE（）は最終設定ゲイン、ｎは系統番号、ｉは新たな系統での間欠動作番号、ｊは直前に動作した系統での間欠動作番号である。なお、各系統は系統番号の昇順に動作するものとし、系統番号が０となる場合、ｎとして系統数Ｎ（Ｎは２以上の整数）を循環的に用いる。
【００５７】
【数１】
2005311857.tif 000003
【００５８】
なお、図２および図３では、間欠受信２周期分の制御について説明したが、各間欠受信周期における動作は以下と同様の動作を繰り返すものであり、例えば図３に示すように、系統２の受信動作を停止した後、系統１で受信動作を再開する場合、系統１の初期受信ゲインＧS（１，ｉ＋１）として、系統２の最終設定ゲインＧE（２，ｉ）を用いればよく、詳細な説明については省略する。
また、図２および図３では、系統が２つの場合を例として説明したが、３以上の系統ある場合でも同様である。図４に、本発明の第１の実施の形態にかかる受信ダイバーシティシステムでの他の受信ゲイン算出方法を示す。例えば図４のように、系統１〜Ｎ（Ｎは３以上の整数）を１つずつ順に動作させていく場合には、その初期受信ゲインとして、直前に動作していた系統で用いていた最終受信ゲインを用いればよい。
【００５９】
このように、受信ダイバーシティシステムにおいて、複数系統のうち１系統のみ動作させ他の系統を停止させる間欠受信動作時に、任意の系統で動作を再開する際、その動作再開時の受信ゲインとして、過去の間欠動作期間で用いた受信ゲインに基づき推定した初期受信ゲインを用いるようにしたので、例えば予め固定的に決定されている受信ゲインを常に初期受信ゲインとして用いる場合などと比較して、動作を再開させる系統が停止している間に受信レベルが変動した場合でも、その受信レベルの変動に追従して受信ゲインを調整できる。
したがって、各系統における電力消費を抑制し、通話時間や待ち受け時間など２次電池により無線端末を使用できる期間の短縮を回避できるとともに、受信ダイバーシティシステムに必要とされる本来の機能、ここでは受信レベル変動に対する追従機能を効果的に利用できる。
【００６０】
また、任意の系統で動作を再開する際の初期受信ゲインとして、各系統のうち直前の間欠動作期間に動作していた系統で用いた過去の受信ゲインを用いるようにしたので、再開する間欠受信動作から時間的に近しい最新の受信レベル変動を考慮した、精度のよい受信ゲイン調整を実現できる。
また、過去の受信ゲインとして、当該間欠動作期間のうち動作していた系統で最後に設定した受信ゲインすなわち最終設定ゲインを用いるようにしたので、間欠動作期間内での受信ゲイン追従制御が十分行われた状態での受信レベルが用いられることになり、受信レベル変動に精度よく追従できる。
【００６１】
なお、本実施の形態では、間欠受信動作における受信動作再開時の初期受信ゲインとして、直前に動作していた系統で最後に設定した受信ゲインすなわち最終設定ゲインを用いる場合を例として説明したが、これに限定されるものではなく、この初期受信ゲインとしては、任意の系統での過去の受信動作で用いた受信ゲインから推定した受信ゲインであればいずれを用いてもよい。
【００６２】
例えば、次の間欠動作期間で受信動作を再開させる新たな系統で過去に用いた受信ゲインを初期受信ゲインとして用いてもよく、より具体的には、当該新たな系統の前回の間欠動作期間で用いた任意の受信ゲイン、さらには前回の間欠動作期間で用いた最終設定ゲインを用いてもよい。これにより、再開する間欠受信動作から時間的に直近の同一系統における受信レベルが用いられて、受信レベル変動に迅速かつ精度よく追従して受信ゲインを調整できる。
【００６３】
［第２の実施の形態］
次に、図５を参照して、本発明の第２の実施の形態にかかる受信ダイバーシティシステムについて説明する。図５は、本発明の第２の実施の形態にかかる受信ダイバーシティシステムでの受信ゲイン算出方法を示す説明図である。なお、本実施の形態にかかる受信ダイバーシティシステムの構成および間欠受信動作については、前述した第１の実施の形態（図１および図２参照）と同様であり、ここでの説明は省略する。
【００６４】
前述した第１の実施の形態では、間欠受信動作で受信動作を再開させる系統での初期受信ゲインとして、過去の間欠動作期間で用いた受信ゲインそのものを用いる場合について説明した。
本実施の形態では、ディジタル信号処理部１３において、初期受信ゲインとして、複数の過去受信ゲインから算出した統計量を用いる場合について説明する。
【００６５】
本実施の形態における統計量としては、任意の系統における過去の複数の間欠動作期間をそれぞれ代表する過去受信ゲインを、それぞれ重み付けして集計した累積受信ゲインを用いればよい。
図５では、受信動作を再開する新たな系統の過去受信ゲインを用いて初期受信ゲインを推定するものとし、各間欠動作期間を代表する過去受信ゲインとして最終設定ゲインを用い、これら最終設定ゲインの累積数Ｈを３とした例が示されている。
【００６６】
例えば、系統１の間欠動作番号ｉでの初期受信ゲインＧS（１，ｉ）については、その１つ前から３つ前の間欠動作期間で用いた最終設定ゲインＧE（１，ｉ−１）〜ＧE（１，ｉ−３）に、それぞれの重みＷ（１，−１）〜Ｗ（１，−３）を乗算して重み付けし、これらを集計して累積受信ゲインを算出している。
なお、重みＷ（１，−１）において、「１」は系統番号であり、「−１」は初期受信ゲインを算出する間欠動作期間から遡った間欠動作期間数である。この重みＷは、初期受信ゲインに対する各最終設定ゲインＧEの影響度を示しており、その総和を１以下とすることにより、受信ゲインと同じ変動幅（スパン）を持つ累積受信ゲインが得られる。
【００６７】
本実施の形態における初期受信ゲインの推定式を一般化したものを次の式（２）に示す。ここで、ＧS（）は初期受信ゲイン、ＧE（）は最終設定ゲイン、Ｗ（）は重み、ｎは系統番号、ｉは各系統における間欠動作番号、Ｈは最終設定ゲインの累積数、ｇはこの累積数Ｈを示す変数である。通常、初期受信ゲインと時間的に近い間欠動作期間ほどその重みＷとして大きい値が用いられる。式（２）は、重みＷを忘却係数とする移動平均算出式とも捉えられる。
【００６８】
【数２】
2005311857.tif 000004
【００６９】
このように、間欠受信動作で受信動作を再開させる系統での初期受信ゲインとして、過去の間欠動作期間で用いた複数の過去受信ゲインから算出した統計量を用いるようにしたので、いずれかの過去ゲインが一時的に大きく変動した場合でも、その変動が初期受信ゲインに与える影響を抑制することができ、安定した受信ゲインの調整を実現できる。
また、上記過去受信ゲインとして、各間欠動作期間を代表する例えば最終設定ゲインなどの受信ゲインをそれぞれ用いるようにしたので、間欠動作期間内での受信ゲイン追従制御が十分行われた状態での受信レベルが用いられることになり、受信レベル変動に精度よく追従できる。
【００７０】
なお、本実施の形態では、受信動作を再開する新たな系統の過去受信ゲインを用いて初期受信ゲインを推定する場合を例として説明したが、これに限定されるものではなく、他の系統の過去受信レベルを用いもよい。例えば直前の間欠動作期間で動作していた系統の過去受信ゲインを用いることにより、受信ゲイン変動の影響を抑制しつつ、再開する間欠受信動作から時間的に近しい最新の受信レベル変動を考慮した、精度のよい受信ゲイン調整を実現できる。
【００７１】
［第３の実施の形態］
次に、図６および図７を参照して、本発明の第３の実施の形態にかかる受信ダイバーシティシステムについて説明する。図６は、本発明の第３の実施の形態にかかる受信ダイバーシティシステムでの受信ゲイン算出方法を示す説明図である。図７は、本発明の第３の実施の形態にかかる受信ダイバーシティシステムでの他の受信ゲイン算出方法を示す説明図である。なお、本実施の形態にかかる受信ダイバーシティシステムの構成および間欠受信動作については、前述した第１の実施の形態（図１および図２参照）と同様であり、ここでの説明は省略する。
【００７２】
前述した第２の実施の形態では、動作を再開する新たな系統の初期受信ゲインとして、任意の系統の過去受信レベルから算出した統計量を用いる場合を例として説明した。
本実施の形態では、ディジタル信号処理部１３において、所望の初期受信ゲインの基準となる基準受信ゲインを、直近の受信レベル変動を示す所定のゲイン変動量で補正し、得られた補正受信レベルを初期受信ゲインとして用いる場合について説明する。
【００７３】
図６では、基準受信ゲインとして、動作を再開する新たな系統に関する前述の第２の実施の形態で用いた累積受信ゲインが用いられている。また、ゲイン変動量として、直前の間欠動作期間で動作していた系統の前回と前々回の間欠動作期間で用いた受信ゲインの代表値として最終設定ゲインの差が用いられている。そして、補正受信レベルは、ゲイン変動量に係数を乗算して基準受信ゲインに加算されて算出されている。
【００７４】
例えば、系統２の間欠動作番号ｉの間欠動作期間では、直前の間欠動作期間で動作していた系統１の前回の間欠動作期間で用いた最終設定ゲインＧE（１，ｉ）と前々回の間欠動作期間で用いた最終設定ゲインＧE（１，ｉ−１）と差分からゲイン変動量を求めている。そして、このゲイン変動量に係数Ｋを乗算したものすなわち変動値と当該間欠動作番号ｉでの累積受信ゲインＧＷ（１，ｉ）とを加算することにより、系統２の間欠動作番号ｉの初期受信ゲインＧS（２，ｉ）を算出している。
【００７５】
本実施の形態における初期受信ゲインの推定式を一般化したものを次の式（３），（４）に示す。ここで、ＧS（）は初期受信ゲイン、ＧE（）は最終設定ゲイン、Ｗ（）は重み、ＧＷ（）は累積受信ゲイン、ｎは系統番号、ｉは新たな系統での間欠動作番号、ｊは直前に動作した系統での間欠動作番号、Ｋは係数、Ｈは最終設定ゲインの累積数、ｇはこの累積数の変数である。なお、係数Ｋは、初期受信ゲインに対するゲイン変動量の影響度を示す係数であり、０より大きければよい。
【００７６】
【数３】
2005311857.tif 000005
【００７７】
なお、図６では、系統が２つの場合を例として説明したが、３以上の系統がある場合でも同様である。例えば図７のように、系統１〜Ｎ（Ｎは３以上の整数）を１つずつ順に動作させていく場合には、その初期受信ゲインとして、直前に動作していた系統からゲイン変動量を求め、動作を再開する新たな系統から基準受信ゲインを求めればよい。
【００７８】
このように、受信ダイバーシティシステムにおいて、複数系統のうち１系統のみ動作させ他の系統を停止させる間欠受信動作時に、任意の系統で動作を再開する際、その動作再開時の初期受信ゲインとして、任意の過去受信ゲインから得られた推定基準となる基準受信ゲインを、受信レベル変動を示す所定のゲイン変動量で補正し、得られた補正受信レベルを用いるようにしたので、過去に用いた受信レベルを初期受信ゲインとしてそのまま用いる場合と比較して、動作を再開させる系統が停止している間における受信レベルの変動を効果的に反映させることができ、受信レベル変動に精度よく追従できる。
【００７９】
また、基準受信ゲインとして、動作を再開する新たな系統の累積受信ゲインを用いるようにしたので、新たな系統での前回間欠動作で一時的に受信ゲインが大きく変動した場合にも対応でき、基準受信ゲインを安定化させることができる。なお、受信ゲインの変動を積極的に取り入れる場合は、基準受信ゲインとして累積受信ゲインに代えて、前回間欠動作期間で用いた最終設定ゲインを用いてもよい。
また、ゲイン変動量として、直前の間欠動作期間で動作していた系統の前回と前々回の間欠動作期間で用いた最終設定ゲインの差を用いるようにしたので、初期受信ゲインに、最新の受信ゲイン変動を反映させることができ、受信レベル変動に精度よく追従できる。
【００８０】
なお、本実施の形態では、ゲイン変動量として、直前の間欠動作期間で動作していた系統の前回と前々回の間欠動作期間で用いた最終設定ゲインの差を用いた場合を例として説明したが、これに限定されるものではなく、他のゲイン変動量を用いてもよい。
例えば、直前の間欠動作期間で動作していた系統の前回の間欠動作期間で用いた受信ゲインの代表値である最終設定ゲインと、当該系統の累積受信ゲインとの差をゲイン変動量として用いてもよく、当該系統における一時的な受信ゲイン変動の影響を抑制でき、安定した受信ゲイン調整を実現できる。
【００８１】
［第４の実施の形態］
次に、本発明の第４の実施の形態にかかる受信ダイバーシティシステムについて説明する。なお、本実施の形態にかかる受信ダイバーシティシステムの構成および間欠受信動作については、前述した第１の実施の形態（図１および図２参照）と同様であり、ここでの説明は省略する。
【００８２】
前述した第３の実施の形態では、所望の初期受信ゲインの基準となる基準受信ゲインを、直近の受信レベル変動を示す所定のゲイン変動量で補正し、得られた補正受信レベルを初期受信ゲインとして用いる場合について説明した。
本実施の形態では、ディジタル信号処理部１３において、初期受信ゲインに対する上記ゲイン変動量の影響度を示す係数Ｋについて詳細に説明する。
【００８３】
基準受信ゲインをゲイン変動量で補正する場合、係数Ｋが重要となる。この係数Ｋが大きければ初期受信ゲインに対するゲイン変動量の影響度が大きくなり、初期受信ゲインが大きく変動する。また、係数Ｋが小さければ初期受信ゲインに対するゲイン変動量の影響度が小さくなり、初期受信ゲインがあまり変動しない。
この際、初期受信ゲインに対する基準受信ゲインとゲイン変動量の影響度が等しい場合、基準受信ゲインが最大１００％補正されるため、この条件を目安とすることができる。
【００８４】
すなわち、初期受信ゲインに対するゲイン変動量の影響度が基準受信ゲインのそれより小さい場合、基準受信ゲインに対する補正が抑制されることになる。したがって、第１の条件として、ゲイン変動量の変動幅（スパン）が初期受信ゲインの変動幅（スパン）より小さくなる係数Ｋを用いることにより、初期受信ゲインの変動を抑制でき、安定した受信ゲイン調整を実現できる。特に、良好な受信品質が得られている場合には、受信ゲインを大幅に変更する必要がなく、上記のような第１の条件を満たす係数Ｋが効果的である。
なお、初期受信ゲインに対するゲイン変動量の影響度が初期受信ゲインの１／２とすることにより、推定したゲイン変動量が誤りであったとしても、初期受信ゲインのばらつきを１００％以下に抑制できる。
【００８５】
一方、初期受信ゲインに対するゲイン変動量の影響度が基準受信ゲインのそれ以上の場合、基準受信ゲインに対する補正が促進されることになる。したがって、第２の条件として、ゲイン変動量の変動幅（スパン）が初期受信ゲインの変動幅（スパン）以上となる係数Ｋを用いることにより、初期受信ゲインの変動を促進でき、ダイナミックに受信ゲイン調整を実現できる。特に、受信ダイバーシティシステムの起動時など初期受信ゲインの予想ができない場合や、受信ゲインの変動幅が大きな場合、上記のような第２の条件を満たす係数Ｋを用いることにより、受信ゲインを素早く収束させることができる。
【００８６】
また、係数Ｋについては、無線電波の受信状況に応じて、適応的に係数Ｋの値を制御してもよい。例えば、ディジタル信号処理部１３において、受信信号の大きさ（振幅）と制御目的となる信号の大きさ（振幅）との差を所定のしきい値と比較し、上記差がしきい値より大きい場合に第２の条件を満たす係数Ｋを用い、上記差がしきい値以下の場合に第１の条件を満たす係数Ｋを用いればよい。
これにより、第１および第２の条件を満たすそれぞれの係数Ｋを用いた場合の長所を効果的に利用することができ、受信レベルの変動に対して適切に追従可能な受信ゲイン調整を実現できる。
【００８７】
［第５の実施の形態］
次に、本発明の第５の実施の形態にかかる受信ダイバーシティシステムについて説明する。なお、本実施の形態にかかる受信ダイバーシティシステムの構成および間欠受信動作については、前述した第１の実施の形態（図１および図２参照）と同様であり、ここでの説明は省略する。
【００８８】
前述した第３の実施の形態では、所望の初期受信ゲインの基準となる基準受信ゲインを、直近の受信レベル変動を示す所定のゲイン変動量で補正し、得られた補正受信レベルを初期受信ゲインとして用いる場合について説明した。
本実施の形態では、ディジタル信号処理部１３において、基準受信ゲインを、動作を再開する新たな系統を代表する受信ゲインと、直前の間欠動作期間で動作していた系統を代表する受信ゲインとのゲイン比で補正し、得られた補正受信レベルを初期受信ゲインとして用いる場合について説明する。
【００８９】
この場合、基準受信ゲインとして、動作を再開する新たな系統の前回動作で用いた最終設定ゲインを用いればよい。また、動作を再開する新たな系統を代表する受信ゲインとして当該系統の累積受信ゲインを用い、直前の間欠動作期間で動作していた系統を代表する受信ゲインとして当該系統の累積受信ゲインを用い、ゲイン比としてこれら両累積受信ゲインの比を用いればよい。
【００９０】
本実施の形態における初期受信ゲインの推定式を一般化したものを次の式（５）に示す。ここで、ＧS（）は初期受信ゲイン、ＧE（）は最終設定ゲイン、ＧＷ（）は累積受信ゲイン、ｎは系統番号、ｉは新たな系統での間欠動作番号、ｊは直前に動作した系統での間欠動作番号である。なお、係数Ｋは、初期受信ゲインに対するゲイン変動量の影響度を示す係数であり、０より大きければよい。なお、各系統は系統番号の昇順に動作するものとし、系統番号が０となる場合、ｎとして系統数Ｎ（Ｎは２以上の整数）を循環的に用いる。
【００９１】
【数４】
2005311857.tif 000006
【００９２】
このように、基準受信ゲインを、動作を再開する新たな系統を代表する受信ゲインと、直前の間欠動作期間で動作していた系統を代表する受信ゲインとのゲイン比で補正し、得られた補正受信レベルを初期受信ゲインとして用いるようにしたので、過去に用いた受信レベルを初期受信ゲインとしてそのまま用いる場合と比較して、動作を再開させる系統が停止している間における受信レベルの変動を効果的に反映させることができ、受信レベル変動に精度よく追従できる。
【００９３】
また、ゲイン比として、新たな系統と直前の間欠動作期間で動作していた系統との累積受信ゲインの比を用いるようにしたので、いずれかの過去ゲインが一時的に大きく変動した場合でも、その変動がゲイン比に与える影響を抑制することができ、安定した受信ゲインの調整を実現できる。
【００９４】
［第６の実施の形態］
次に、図８および図９を参照して、本発明の第６の実施の形態にかかる受信ダイバーシティシステムについて説明する。図８は、本発明の第６の実施の形態にかかる受信ダイバーシティシステムの間欠受信動作を示すシーケンス図である。図９は、本発明の第６の実施の形態にかかる受信ダイバーシティシステムでの受信ゲイン算出方法を示す説明図である。なお、本実施の形態にかかる受信ダイバーシティシステムの構成については、前述した第１の実施の形態（図１参照）と同様であり、ここでの説明は省略する。
【００９５】
前述した各実施の形態では、制御部１４により、例えば無線端末が通話や通信に用いられていない待ち受け時間において、前述した図１９に示すような、複数系統のうち１系統のみ動作させ他の系統を停止させる間欠受信動作を行う場合を例として説明した。
本実施の形態では、間欠受信動作時、各系統を複数の系統群に分けて制御し、間欠動作期間ごとに各系統群のうちの所定系統群に属する系統のみ動作させ他の系統群に属する系統を停止させるようにしたものである。
【００９６】
以下では、各系統をその系統番号が奇数と偶数の２つの系統群に分けて交互に動作させる場合を例に説明する。
なお、図１において、系統１回路１１Ａ，１２Ａ，１３Ａを奇数系統の各回路と見なし、系統２回路１１Ｂ，１２Ｂ，１３Ｂを偶数系統の各回路と見なして説明する。
【００９７】
まず、制御部１４は、奇数系統の間欠動作期間の到来に応じて、ＲＦ部１１、アナログ信号処理部１２、およびディジタル信号処理部１３に、例えばそれぞれの奇数系統回路１１Ａ，１３Ａをオンするよう命令を送る（ステップ１３０）。
【００９８】
これに応じて、ＲＦ部１１、アナログ信号処理部１２、およびディジタル信号処理部１３は、それぞれ奇数系統回路１１Ａ，１２Ａ，１３Ａをオンさせて回路を動作させる（ステップ１３１）。
そして、ディジタル信号処理部１３は、奇数系統回路１３Ａにより、ＲＦ部１１の偶数系統回路１１Ｂでの直前受信動作で用いた最終設定ゲインから奇数系統ｎ（ｎは奇数）ごとに推定した初期受信ゲインＧS（ｎ，ｉ）を、ＲＦ部１１の奇数系統回路１１Ａに設定する（ステップ１３２）。
【００９９】
続いて、ディジタル信号処理部１３は、奇数系統回路１３Ａにより、ＲＦ部１１の奇数系統回路１１Ａおよびアナログ信号処理部１２の奇数系統回路１２Ａを経由して受信した奇数系統の各ディジタル受信信号について受信レベルの測定を開始する（ステップ１３３）。
そして、奇数系統回路１３Ａにより、そのレベル測定結果を基にＲＦ部１１の奇数系統回路１１Ａに設定するゲインを計算して、そのゲインをＲＦ部１１の奇数系統回路１１Ａに設定し、これを間欠動作期間中、繰り返し行う（ステップ１３４）。
【０１００】
この際のゲイン計算については、例えば、ディジタル受信信号のレベル測定結果が、ディジタル信号処理部１３の奇数系統回路１３Ａが必要とするレベルよりＸｄＢ小さい場合、ＸｄＢ分だけＲＦ部１１の奇数系統回路１１Ａに設定するゲインを上げ、逆にＸｄＢ大きい場合、ＸｄＢ分だけＲＦ部１１の奇数系統回路１１Ａに設定するゲインを下げるといった方法などがある。
【０１０１】
その後、制御部１４は、奇数系統の間欠停止期間の到来に応じて、ＲＦ部１１、アナログ信号処理部１２、およびディジタル信号処理部１３に、それぞれの奇数系統回路１１Ａ，１２Ａ，１３Ａをオフするよう命令を送る（ステップ１３５）。
これに応じて、ディジタル信号処理部１３の奇数系統回路１３Ａは、ステップ１３６においてＲＦ部１１の奇数系統回路１１Ａに設定した最終設定ゲインである各ＧE（ｎ，ｉ）を記憶保持し、受信レベル測定を停止する（ステップ１３７）。
そして、ＲＦ部１１、アナログ信号処理部１２、およびディジタル信号処理部１３は、奇数系統回路１１Ａ，１２Ａ，１３Ａをオフさせ、回路動作を停止させる（ステップ１３８）。
【０１０２】
その後、制御部１４は、偶数系統の間欠動作期間の到来に応じて、ＲＦ部１１、アナログ信号処理部１２、およびディジタル信号処理部１３にそれぞれの装置の偶数系統回路１１Ｂ，１２Ｂ，１３Ｂをオンするよう命令を送る（ステップ１４０）。
これに応じて、ＲＦ部１１、アナログ信号処理部１２、およびディジタル信号処理部１３は、偶数系統回路１１Ｂ，１２Ｂ，１３Ｂをオンさせて回路を動作させる（ステップ１４１）。
【０１０３】
そして、ディジタル信号処理部１３は、偶数系統回路１３Ｂにより、ＲＦ部１１の偶数系統回路１１Ｂでの前回動作で用いた最終設定ゲインＧE（ｎ，ｉ）（ｎは奇数）から偶数系統ｎ（ｎは偶数）ごとに推定した初期受信ゲインＧS（ｎ，ｉ）を、ＲＦ部１１の偶数系統回路１１Ｂに設定する（ステップ１４２）。
続いて、ディジタル信号処理部１３は、偶数系統回路１３Ｂにより、ＲＦ部１１の偶数系統回路１１Ｂおよびアナログ信号処理部１２の偶数系統回路１２Ｂを経由して受信した偶数系統のディジタル受信信号について受信レベルの測定を開始する（ステップ１４３）。
【０１０４】
そして、偶数系統回路１３Ｂにより、そのレベル測定結果を基にＲＦ部１１の偶数系統回路１１Ｂに設定するゲインを計算して、そのゲインをＲＦ部１１の偶数系統回路１１Ｂに設定し、これを間欠動作期間中、繰り返し行う（ステップ１４４）。
その後、制御部１４は、偶数系統の間欠停止期間の到来に応じて、ＲＦ部１１、アナログ信号処理部１２、およびディジタル信号処理部１３に、それぞれの偶数系統回路１１Ｂ，１２Ｂ，１３Ｂをオフするよう命令を送る（ステップ１４５）。
【０１０５】
これに応じて、ディジタル信号処理部１３の偶数系統回路１３Ｂは、ステップ１４６においてＲＦ部１１の偶数系統回路１１Ｂに設定した最終設定ゲインである各ＧE（ｎ，ｉ）を記憶保持し、受信レベル測定を停止する（ステップ１４７）。
そして、ＲＦ部１１、アナログ信号処理部１２、およびディジタル信号処理部１３は、偶数系統の回路１１Ｂ，１２Ｂ，１３Ｂをオフさせて、回路動作を停止させ（ステップ１４８）、間欠停止期間へ移行し、上記間欠受信動作が繰り返し行われる。
【０１０６】
このように、間欠受信動作時、各系統を複数の系統群に分けて制御し、間欠動作期間ごとに各系統群のうちの所定系統群に属する系統のみ動作させ他の系統群に属する系統を停止させるようにしたので、前述のように１系統ずつ動作させる場合と比較して、系統数が多い場合でも各系統が停止している期間を短縮できる。したがって、各系統において受信動作を停止している期間での受信レベル変動が小さくなり、受信レベル変動に精度よく追従できる。
【０１０７】
また、各系統の初期受信ゲインとして、直前の間欠動作期間で動作していた系統群の各系統で用いた過去受信ゲインから系統ごとに推定したもの、例えば最終設定ゲインを用いるようにしたので、初期受信ゲインに、最新の受信ゲイン変動を反映させることができ、受信レベル変動に精度よく追従できる。この際、各系統の初期受信ゲインとして、当該系統群が前回の間欠動作期間で用いた過去受信ゲインから系統ごとに推定したもの、例えば最終設定ゲインを用いてもよい。
なお、本実施の形態で用いる初期受信ゲインについては、前述した各実施の形態で説明した初期受信ゲインの算出方法をそれぞれ適用してもよい。
【０１０８】
図９では、受信動作を再開する新たな系統群の各系統に設定する初期受信ゲインとして、直前の間欠動作期間で動作していた直前系統群の各系統で用いた最終設定ゲインに、重み付けして集計した累積受信ゲインを用いている。この際、重みＷは、新たな系統群の系統ごとに、直前系統群の各系統に対して個別に設定してある。
【０１０９】
例えば、奇数系統に属する系統１の間欠動作番号ｉでの初期受信ゲインＧS（１，ｉ）については、直前の間欠動作期間で動作していた偶数系統の各系統で用いた最終設定ゲインＧE（ｇ，ｊ）（ｇは偶数系統の系統番号、ｊは偶数系統での直前間欠動作番号）に、系統１で用いるそれぞれの重みＷ（ｊ，１）を乗算して重み付けし、これらを集計して累積受信ゲインを算出している。
なお、重みＷ（ｊ，１）において、「ｊ」はそれぞれの最終設定ゲインが得られた直前系統群における系統番号であり、「１」は新たな系統群での系統番号である。この重みＷは、その総和が１以下であり、初期受信ゲインに対する各最終設定ゲインＧEの影響度を示している。
【０１１０】
本実施の形態における初期受信ゲインの推定式を一般化したものを次の式（６）に示す。ここで、ＧS（）は初期受信ゲイン、ＧE（）は最終設定ゲイン、Ｗ（）は重み、ｎは系統番号、ｉは新たな系統での間欠動作番号、ｊは直前に動作した系統での間欠動作番号、ｇは直前系統群の各系統番号を示す変数である。
【０１１１】
【数５】
2005311857.tif 000007
【０１１２】
このように、初期受信ゲインとして、直前系統群の各過去受信ゲインから算出した統計量を用いるようにしたので、いずれかの過去ゲインが一時的に大きく変動した場合でも、その変動が初期受信ゲインに与える影響を抑制することができ、安定した受信ゲインの調整を実現できる。
また、上記過去受信ゲインとして、各間欠動作期間を代表する例えば最終設定ゲインなどの受信ゲインをそれぞれ用いるようにしたので、間欠動作期間内での受信ゲイン追従制御が十分行われた状態での受信レベルが用いられることになり、受信レベル変動に精度よく追従できる。
【０１１３】
［第７の実施の形態］
次に、図１０を参照して、本発明の第７の実施の形態にかかる受信ダイバーシティシステムについて説明する。図１０は、本発明の第７の実施の形態にかかる受信ダイバーシティシステムでの受信ゲイン算出方法を示す説明図である。なお、本実施の形態にかかる受信ダイバーシティシステムの構成および間欠受信動作については、前述した第１の実施の形態（図１参照）、および前述した第６の実施の形態（図８参照）と同様であり、ここでの説明は省略する。
【０１１４】
前述した第６の実施の形態では、初期受信ゲインとして、直前系統群の各最終受信ゲインから算出した統計量を用いる場合について説明した。
本実施の形態では、受信動作を再開する新たな系統群の系統ごとに、当該系統の初期受信ゲインの基準となる基準受信ゲインを、直近の受信レベル変動を示す所定のゲイン変動量で補正し、得られた補正受信レベルを初期受信ゲインとして用いる場合について説明する。
【０１１５】
図１０では、基準受信ゲインとして、動作を再開する新たな系統群の当該系統に関する前述の第２の実施の形態で用いた累積受信ゲインが用いられている。また、ゲイン変動量として、直前の間欠動作期間で動作していた直前系統群の前回と前々回の間欠動作期間で用いた最終設定ゲインの差に、それぞれ重み付けして集計した統計量が用いられている。そして、補正受信レベルは、ゲイン変動量に係数を乗算して基準受信ゲインに加算されて算出されている。
【０１１６】
例えば、偶数系統２の間欠動作番号ｉの間欠動作期間では、直前の間欠動作期間で動作していた奇数系統ごとに前回の間欠動作期間で用いた最終設定ゲインＧE（ｇ，ｊ）（ｇは奇数系統の系統番号、ｊは奇数系統での直前間欠動作番号）と前々回の間欠動作期間で用いた最終設定ゲインＧE（ｇ，ｊ−１）と差からゲイン変動量ΔＧ（２，ｉ）を求めている。そして、このゲイン変動量に係数Ｋを乗算したものと当該間欠動作番号ｉでの累積受信ゲインＧＷ（２，ｉ）とを加算することにより、系統２の間欠動作番号ｉの初期受信ゲインＧS（２，ｉ）を算出している。
【０１１７】
本実施の形態における初期受信ゲインの推定式を一般化したものを次の式（７），（８）に示す。ここで、ＧS（）は初期受信ゲイン、ＧE（）は最終設定ゲイン、Ｗ（）は重み、ＧＷ（）は累積受信ゲイン、ΔＧ（）はゲイン変動量、ｎは新たな系統群での系統番号、ｉは新たな系統での間欠動作番号、ｊは直前に動作した系統での間欠動作番号、Ｋは係数、ｇは直前系統群の各系統番号を示す変数である。
【０１１８】
【数６】
2005311857.tif 000008
【０１１９】
このように、初期受信ゲインとして、受信動作を再開する新たな系統群の系統ごとに、当該系統の初期受信ゲインの基準となる基準受信ゲインを、直近の受信レベル変動を示す所定のゲイン変動量で補正し、得られた補正受信レベルを初期受信ゲインとして用いるようにしたので、過去に用いた受信レベルを初期受信ゲインとしてそのまま用いる場合と比較して、動作を再開させる系統が停止している間に受信レベルが変動を効果的に反映させた初期受信ゲインを用いることができ、受信レベル変動に精度よく追従できる。
【０１２０】
また、基準受信ゲインとして、動作を再開する新たな系統の累積受信ゲインを用いるようにしたので、新たな系統での前回間欠動作で一時的に受信ゲインが大きく変動した場合にも対応でき、基準受信ゲインを安定化させることができる。なお、受信ゲインの変動を積極的に取り入れる場合は、基準受信ゲインとして累積受信ゲインに代えて、前回間欠動作期間で用いた最終設定ゲインを用いてもよい。
また、ゲイン変動量として、直前系統群の系統ごとの前回と前々回の間欠動作期間で用いた最終設定ゲインの差を、重み付けして集計した統計量を用いるようにしたので、初期受信ゲインに、最新の受信ゲイン変動を反映させることができ、受信レベル変動に精度よく追従できる。
【０１２１】
［第８の実施の形態］
次に、図１１および図１２を参照して、本発明の第８の実施の形態にかかる受信ダイバーシティシステムについて説明する。図１１は、本発明の第８の実施の形態にかかる受信ダイバーシティシステムの間欠受信動作を示すシーケンス図である。図１２は、本発明の第７の実施の形態にかかる受信ダイバーシティシステムでのトータル受信品質算出方法を示す説明図である。なお、本実施の形態にかかる受信ダイバーシティシステムの構成については、前述した第１の実施の形態（図１参照）と同様であり、ここでの説明は省略する。
【０１２２】
前述した各実施の形態では、間欠動作期間ごとに、各系統のうちの所定系統のみ動作させ他の系統を停止させる間欠受信動作において、動作を再開する新たな系統の初期受信ゲインを算出する方法について説明した。
本実施の形態では、間欠受信動作の間欠動作期間ごとに、すべての系統を並列的に動作させて得られた受信信号を合成した際のＳＮＲ値やＳＩＲ値などのトータル受信品質を算出する方法について説明する。
【０１２３】
本実施の形態は、トータル受信品質を算出する際、当該間欠動作期間で動作している系統で受信した受信信号から得られた受信品質と、推定により得られた他の停止系統の当該間欠動作期間における受信品質とから、上記トータル受信品質を算出するようにしたものである。
なお、受信品質としては、ＳＮＲ（Signal to Noise Ratio）やＳＩＲ（Signal to Interference Ratio）がある。ＳＮＲとは信号電力とノイズ電力の比を表し、ＳＩＲとは信号電力と干渉電力の比を表す。これにＳＮＲやＳＩＲの具体的な測定方法については、公知の測定方法を用いればよく、ここでの説明は省略する。
【０１２４】
まず、制御部１４は、系統１の間欠動作期間の到来に応じて、ＲＦ部１１、アナログ信号処理部１２、およびディジタル信号処理部１３にそれぞれの装置の系統１回路１１Ａ，１２Ａ，１３Ａをオンするよう命令を送る（ステップ２００）。
これに応じて、ＲＦ部１１、アナログ信号処理部１２、およびディジタル信号処理部１３は、系統１の回路１１Ａ，１２Ａ，１３Ａをオンさせて回路を動作させる（ステップ２０１）。
【０１２５】
そして、ディジタル信号処理部１３は、系統１回路１３Ａにより、例えば直前の間欠動作期間で用いて記憶保持しておいた最終設定ゲインを読み出し、ＲＦ部１１の系統１回路１１Ａの初期受信ゲインとして設定する（ステップ２０２）。
この初期受信ゲインの求め方については、前述した第１の実施の形態に基づき算出する場合について説明したが、これに限定されるものではなく、前述した他の実施の形態を適用して算出してもよい。
【０１２６】
続いて、ディジタル信号処理部１３は、系統１回路１３Ａにより、ＲＦ部１１の系統１回路１１Ａおよびアナログ信号処理部１２の系統１回路１２Ａを経由して受信した系統１のディジタル受信信号について、受信レベルの測定と受信品質の測定とを開始する（ステップ２０３）。
そして、系統１回路１３Ａにより、そのレベル測定結果を基にＲＦ部１１の系統１回路１１Ａに設定するゲインを計算して、そのゲインをＲＦ部１１の系統１回路１１Ａに設定し、これを間欠動作期間中、繰り返し行う（ステップ２０４）。
【０１２７】
その後、制御部１４は、系統１の間欠停止期間の到来に応じて、ＲＦ部１１、アナログ信号処理部１２、およびディジタル信号処理部１３に、それぞれの系統１回路１１Ａ，１２Ａ，１３Ａをオフするよう命令を送る（ステップ２０５）。
これに応じて、ディジタル信号処理部１３の系統１回路１３Ａは、ステップ２０６においてＲＦ部１１の系統１回路１１Ａに設定した最終設定ゲインを記憶保持するとともに、トータル受信品質を後述のようにして算出して記憶保持し、受信レベルおよび受信品質の測定を停止する（ステップ２０７）。
【０１２８】
そして、ＲＦ部１１、アナログ信号処理部１２、およびディジタル信号処理部１３は、系統１の回路１１Ａ，１２Ａ，１３Ａをオフさせ、回路動作を停止させる（ステップ２０８）。
【０１２９】
その後、制御部１４は、系統２の間欠動作期間の到来に応じて、ＲＦ部１１、アナログ信号処理部１２、およびディジタル信号処理部１３に、例えばそれぞれの系統２回路１１Ｂ，１２Ｂ，１３Ｂをオンするよう命令を送る（ステップ２１０）。
これに応じて、ＲＦ部１１、アナログ信号処理部１２、およびディジタル信号処理部１３は、それぞれ系統１の回路１１Ｂ，１２Ｂ，１３Ｂをオンさせて回路を動作させる（ステップ２１１）。
【０１３０】
そして、ディジタル信号処理部１３は、系統２回路１３Ｂにより、直前の間欠動作期間で用いて記憶保持しておいた最終設定ゲインを読み出し、ＲＦ部１１の系統２回路１１Ｂの初期受信ゲインとして設定する（ステップ２１２）。
続いて、ディジタル信号処理部１３は、系統２回路１３Ｂにより、ＲＦ部１１の系統２回路１１Ｂおよびアナログ信号処理部１２の系統２回路１２Ｂを経由して受信した系統２のディジタル受信信号について、受信レベルの測定と受信品質の測定とを開始する（ステップ２１３）。
【０１３１】
そして、系統２回路１３Ｂにより、そのレベル測定結果を基にＲＦ部１１の系統２回路１１Ｂに設定するゲインを計算して、そのゲインをＲＦ部１１の系統２回路１１Ｂに設定し、これを間欠動作期間中、繰り返し行う（ステップ２１４）。
その後、制御部１４は、系統２の間欠停止期間の到来に応じて、ＲＦ部１１、アナログ信号処理部１２、およびディジタル信号処理部１３に、それぞれの系統２回路１１Ｂ，１２Ｂ，１３Ｂをオフするよう命令を送る（ステップ２１５）。
【０１３２】
これに応じて、ディジタル信号処理部１３の系統２回路１３Ｂは、ステップ２１６においてＲＦ部１１の系統２回路１１Ｂに設定した最終設定ゲインを記憶保持するとともに、トータル受信品質を後述のようにして算出して記憶保持し、受信レベルおよび受信品質の測定を停止する（ステップ２１７）。
そして、ＲＦ部１１、アナログ信号処理部１２、およびディジタル信号処理部１３は、系統２の回路１１Ｂ，１２Ｂ，１３Ｂをオフさせて、回路動作を停止させ（ステップ２１８）、間欠停止期間へ移行し、上記間欠受信動作が繰り返し行われる。
【０１３３】
トータル受信品質については、当該間欠動作期間で停止している停止系統の当該間欠動作期間における受信品質として、その停止系統の前回の間欠動作期間で測定された受信品質を用いる。すなわち、図１２に示すように、当該間欠動作期間で動作している系統で測定された受信品質と、当該間欠動作期間で停止している系統の前回の間欠動作期間で測定された受信品質とを合成してトータル受信品質を求めている。
【０１３４】
例えば、系統１の間欠動作番号ｉでのトータル受信品質ＳＴ（１，ｉ）については、系統１の間欠動作番号ｉで得られた受信品質Ｓ（１，ｉ）と、当該間欠動作期間で停止している系統２の直前の間欠動作期間で測定された受信品質Ｓ（２，ｊ）とを合成して求めている。
なお、受信品質Ｓ（）は、ｄＢ値であることから、合成の際は真値に換算して両者の和を算出し、再度ｄＢ値に換算している。
【０１３５】
本実施の形態における初期受信ゲインの推定式を一般化したものを次の式（９）に示す。ここで、ＳＴ（）はトータル受信品質、Ｓ（）は各系統の受信品質、ｎは系統番号、ｉは各系統における間欠動作番号、ｇは停止系統の各系統番号を示す変数、ｊは停止系統での前回動作間欠動作番号である。
【０１３６】
【数７】
2005311857.tif 000009
【０１３７】
このように、当該間欠動作期間で動作している新たな系統で受信した受信信号から得られた受信品質と、推定により得られた他の停止系統の当該間欠動作期間における受信品質とから、すべての系統を並列的に動作させた場合に得られるトータル受信品質を算出するようにしたので、複数系統のうち１系統のみ動作させ他の系統を停止させる間欠受信動作においても、すべての系統を並列的に動作させた場合に得られるトータル受信品質を推定することができ、セル（基地局）の切替判定などに利用できる。
【０１３８】
また、当該間欠動作期間における停止系統の受信品質として、各停止系統の前回動作で得られた受信品質を用いるようにしたので、簡単な計算処理で精度よくトータル受信品質を算出できる。
なお、当該間欠動作期間における停止系統の受信品質については、これに限定されるものではなく、例えば、各停止系統の前回動作で得られた受信品質ではなく、それより過去の間欠動作期間で得られた受信品質を用いてもよい。
【０１３９】
［第９の実施の形態］
次に、本発明の第９の実施の形態にかかる受信ダイバーシティシステムについて説明する。なお、本実施の形態にかかる受信ダイバーシティシステムの構成および間欠受信動作については、前述した第１の実施の形態（図１参照）、および前述した第７の実施の形態（図１１参照）と同様であり、ここでの説明は省略する。
【０１４０】
前述した第８の実施の形態では、当該間欠動作期間における停止系統の受信品質として、各停止系統の前回動作で得られた受信品質を用いる場合について説明した。
本実施の形態は、当該間欠動作期間で動作している新たな系統で当該間欠動作期間に得られた受信品質を、当該間欠動作期間における停止系統の受信品質として用いるようにしたものである。
【０１４１】
本実施の形態におけるトータル受信品質の推定式を一般化したものを次の式（１０）に示す。ここで、ＳＴ（）はトータル受信品質、Ｓ（）は各系統の受信品質、ｎは系統番号、Ｎは全系統数、ｉは各系統における間欠動作番号である。
【０１４２】
【数８】
2005311857.tif 000010
【０１４３】
これにより、簡単な計算処理で、最新の受信品質に基づいた精度の高いトータル受信品質を算出できる。
なお、当該間欠動作期間における停止系統の受信品質については、これに限定されるものではなく、例えば、当該間欠動作期間で動作している新たな系統で当該間欠動作期間より過去の間欠動作期間で得られた１つ以上の受信品質から、停止系統の受信品質を推定してもよく、この際、当該間欠動作期間で動作している新たな系統で当該間欠動作期間に得られた受信品質を含めて停止系統の受信品質を推定してもよい。
【０１４４】
［第１０の実施の形態］
次に、本発明の第１０の実施の形態にかかる受信ダイバーシティシステムについて説明する。なお、本実施の形態にかかる受信ダイバーシティシステムの構成および間欠受信動作については、前述した第１の実施の形態（図１参照）、および前述した第８の実施の形態（図１１参照）と同様であり、ここでの説明は省略する。
【０１４５】
前述した第８の実施の形態では、当該間欠動作期間における停止系統の受信品質として、各停止系統の前回動作で得られた受信品質を用いる場合について説明した。
本実施の形態は、当該間欠動作期間における停止系統で過去に得られた複数の受信品質から算出した統計量を、当該間欠動作期間における停止系統の受信品質として用いるようにしたものである。
【０１４６】
この統計量としては、当該停止系統で過去に得られた複数の受信品質に重み付けして集計することにより、当該停止系統の累積受信品質を算出し、この累積受信品質を当該間欠動作期間における停止系統の受信品質として用いればよい。
【０１４７】
本実施の形態における初期受信ゲインの推定式を一般化したものを次の式（１１）に示す。ここで、ＳＴ（）はトータル受信品質、Ｓ（）は各系統の受信品質、ｎは系統番号、ｉは各系統における間欠動作番号、Ｈは受信品質の累積数、ｇはこの累積数Ｈを示す変数である。通常、初期受信ゲインと時間的に近い間欠動作期間ほどその重みＷとして大きい値が用いられる。式（１１）は、重みＷを忘却係数とする移動平均算出式とも捉えられる。
【０１４８】
【数９】
2005311857.tif 000011
【０１４９】
このように、当該停止系統で過去に得られた複数の受信品質から得られた統計量を、当該間欠動作期間における停止系統の受信品質として用いるようにしたので、いずれかの過去受信品質が一時的に大きく変動した場合でも、その変動が受信品質の推定に与える影響を抑制することができ、安定した受信品質が得られる。
また、統計量として、当該停止系統で過去に得られた複数の受信品質に重み付けし集計して得られる累積受信品質を用いるようにしたので、受信品質の変動に精度よく追従できる。
【０１５０】
［第１１の実施の形態］
次に、本発明の第１１の実施の形態にかかる受信ダイバーシティシステムについて説明する。なお、本実施の形態にかかる受信ダイバーシティシステムの構成および間欠受信動作については、前述した第１の実施の形態（図１参照）、および前述した第８の実施の形態（図１１参照）と同様であり、ここでの説明は省略する。
【０１５１】
前述した第１０の実施の形態では、当該間欠動作期間における停止系統の受信品質として、各停止系統で得られた過去の受信品質から算出した統計量を用いる場合について説明した。
本実施の形態は、任意の過去受信品質から得られた推定基準となる基準受信品質を、受信品質変動を示す所定の品質変動量で補正し、得られた補正受信品質を当該間欠動作期間における停止系統の受信品質として用いるようにしたものである。
【０１５２】
この場合、基準受信品質として、当該停止系統に関する前述の第９の実施の形態で用いた累積受信品質を用いればよい。また、品質変動量として、当該停止系統の前回と前々回の間欠動作期間で得られた受信品質の差を用いればよい。そして、品質変動量に係数を乗算して基準受信品質に加算することにより、補正受信品質を算出すればよい。なお、具体的な補正受信品質の算出過程については、前述した受信ゲイン算出用の式（７），（８）と同様にして求めればよい。
【０１５３】
このように、基準受信品質を、受信品質変動を示す所定の品質変動量で補正し、得られた補正受信品質を当該間欠動作期間における停止系統の受信品質として用いるようにしたので、過去の受信品質を当該間欠動作期間における停止系統の受信品質としてそのまま用いる場合と比較して、停止系統が停止している間における受信品質の変動を、トータル受信品質に対して効果的に反映させることができ、受信品質変動に精度よく追従できる。
【０１５４】
また、品質変動量として、当該停止系統の前回と前々回の間欠動作期間で得られた受信品質の差を用いるようにしたので、当該停止系統での受信品質の変動傾向を、トータル受信品質に対して効果的に反映させることができ、受信品質変動に精度よく追従できる。
【０１５５】
［第１２の実施の形態］
次に、図１３を参照して、本発明の第１２の実施の形態にかかる受信ダイバーシティシステムについて説明する。図１３は、本発明の第１２の実施の形態にかかる受信ダイバーシティシステムでのトータル受信品質算出方法を示す説明図である。なお、本実施の形態にかかる受信ダイバーシティシステムの構成および間欠受信動作については、前述した第１の実施の形態（図１参照）、および前述した第８の実施の形態（図１１参照）と同様であり、ここでの説明は省略する。
【０１５６】
前述した第１１の実施の形態では、基準受信品質を品質変動量で補正して得られた補正受信品質を、当該間欠動作期間における停止系統の受信品質として用いる場合について説明した。
本実施の形態では、基準受信品質を、当該間欠動作期間で動作している新たな系統を代表する受信品質と、当該間欠動作期間で停止している停止系統を代表する受信品質との品質比で補正し、得られた補正受信品質を当該間欠動作期間における停止系統の受信品質として用いる場合について説明する。
【０１５７】
図１３では、基準受信品質として、新たな系統の当該間欠動作期間で得られた受信品質を用いている。また、新たな系統を代表する受信品質として当該系統の累積受信品質を用い、停止系統を代表する受信品質として当該系統の累積受信品質を用い、品質比としてこれら両累積受信品質を用いている。
【０１５８】
例えば、新たな系統に相当する系統１の間欠動作番号ｉの間欠動作期間では、その系統１の当該間欠動作期間で得られた受信品質Ｓ（１，ｉ）が基準受信品質となる。また、系統１の累積受信品質がＳＷ（１，ｉ）であり、停止系統に相当する系統２の累積受信品質がＳＷ（２，ｉ）である。そして、これら累積受信品質の比に基準受信品質を乗算することにより補正受信品質、これをトータル受信品質ＳＴ（１，ｉ）としている。
【０１５９】
本実施の形態におけるトータル受信品質の推定式を一般化したものを次の式（１２），（１３）に示す。ここで、ＳＴ（）はトータル受信品質、Ｓ（）は各系統の受信品質、Ｗ（）は重み、ＳＷ（）は累積受信品質、ｎは系統番号、ｉは各系統における間欠動作番号、Ｈは最終設定ゲインの累積数、ｇはこの累積数の変数である。
【０１６０】
【数１０】
2005311857.tif 000012
【０１６１】
このように、基準受信品質を、当該間欠動作期間で動作している新たな系統と当該間欠動作期間で停止している停止系統との受信品質の品質比で補正し、得られた補正受信品質を当該間欠動作期間における停止系統の受信品質として用いるようにしたので、過去の受信品質を当該間欠動作期間における停止系統の受信品質としてそのまま用いる場合と比較して、停止系統が停止している間における受信品質が変動を効果的に反映させることができ、受信品質変動に精度よく追従できる。
【０１６２】
また、品質比として、新たな系統と停止系統の累積受信品質の比を用いるようにしたので、いずれかの受信品質が一時的に大きく変動した場合でも、その変動が品質比に与える影響を抑制することができ、安定したトータル受信品質を推定を実現できる。
また、基準受信品質として、新たな系統の当該間欠動作期間で得られた受信品質を用いるようにしたので、最新の受信品質変動を考慮した停止系統の受信品質を推定できる。なお、基準受信品質として、停止系統の前回間欠動作期間で得られた受信品質を用いてもよく、個々の停止系統での受信品質変動を考慮した停止系統の受信品質を推定できる。
【０１６３】
［第１３の実施の形態］
次に、図１４および図１５を参照して、本発明の第１３の実施の形態にかかる受信ダイバーシティシステムについて説明する。図１４は、本発明の第１３の実施の形態にかかる受信ダイバーシティシステムの間欠受信動作を示すシーケンス図である。図１５は、本発明の第１３の実施の形態にかかる受信ダイバーシティシステムでの受信ゲイン算出方法を示す説明図である。なお、本実施の形態にかかる受信ダイバーシティシステムの構成については、前述した第１の実施の形態（図１参照）と同様であり、ここでの説明は省略する。
【０１６４】
前述した第８〜第１２の実施の形態では、制御部１４により、例えば無線端末が通話や通信に用いられていない待ち受け時間において、前述した図１９に示すような、複数系統のうち１系統のみ動作させ他の系統を停止させる間欠受信動作を行う場合を例として説明した。
本実施の形態では、間欠受信動作時、各系統を複数の系統群に分けて制御し、間欠動作期間ごとに各系統群のうちの所定系統群に属する系統のみ動作させ他の系統群に属する系統を停止させるようにしたものである。
【０１６５】
以下では、各系統をその系統番号が奇数と偶数の２つの系統群に分けて交互に動作させる場合を例に説明する。
なお、図１において、系統１回路１１Ａ，１２Ａ，１３Ａを奇数系統の各回路と見なし、系統２回路１１Ｂ，１２Ｂ，１３Ｂを偶数系統の各回路と見なして説明する。
【０１６６】
まず、制御部１４は、奇数系統の間欠動作期間の到来に応じて、ＲＦ部１１、アナログ信号処理部１２、およびディジタル信号処理部１３に、例えばそれぞれの奇数系統回路１１Ａ，１３Ａをオンするよう命令を送る（ステップ２３０）。
これに応じて、ＲＦ部１１、アナログ信号処理部１２、およびディジタル信号処理部１３は、それぞれ奇数系統回路１１Ａ，１２Ａ，１３Ａをオンさせて回路を動作させる（ステップ２３１）。
【０１６７】
そして、ディジタル信号処理部１３は、奇数系統回路１３Ａにより、例えば直前の間欠動作期間で用いた最終設定ゲインを、ＲＦ部１１の奇数系統回路１１Ａの初期受信ゲインとして設定する（ステップ２３２）。
この初期受信ゲインの求め方については、前述した第１の実施の形態に基づき算出する場合について説明したが、これに限定されるものではなく、前述した他の実施の形態を適用して算出してもよい。
【０１６８】
続いて、ディジタル信号処理部１３は、奇数系統回路１３Ａにより、ＲＦ部１１の奇数系統回路１１Ａおよびアナログ信号処理部１２の奇数系統回路１２Ａを経由して受信した奇数系統の各ディジタル受信信号について、受信レベルの測定と受信品質の測定とを開始する（ステップ２３３）。
そして、奇数系統回路１３Ａにより、そのレベル測定結果を基にＲＦ部１１の奇数系統回路１１Ａに設定するゲインを計算して、そのゲインをＲＦ部１１の奇数系統回路１１Ａに設定し、これを間欠動作期間中、繰り返し行う（ステップ２３４）。
【０１６９】
その後、制御部１４は、奇数系統の間欠停止期間の到来に応じて、ＲＦ部１１、アナログ信号処理部１２、およびディジタル信号処理部１３に、それぞれの奇数系統回路１１Ａ，１２Ａ，１３Ａをオフするよう命令を送る（ステップ２３５）。
これに応じて、ディジタル信号処理部１３の奇数系統回路１３Ａは、ステップ２３６においてＲＦ部１１の奇数系統回路１１Ａに設定した最終設定ゲインを記憶保持するとともに、トータル受信品質を後述のようにして算出して記憶保持し、受信レベルおよび受信品質の測定を停止する（ステップ２３７）。
【０１７０】
そして、ＲＦ部１１、アナログ信号処理部１２、およびディジタル信号処理部１３は、奇数系統回路１１Ａ，１２Ａ，１３Ａをオフさせ、回路動作を停止させる（ステップ２３８）。
【０１７１】
その後、制御部１４は、偶数系統の間欠動作期間の到来に応じて、ＲＦ部１１、アナログ信号処理部１２、およびディジタル信号処理部１３にそれぞれの装置の偶数系統回路１１Ｂ，１２Ｂ，１３Ｂをオンするよう命令を送る（ステップ２４０）。
これに応じて、ＲＦ部１１、アナログ信号処理部１２、およびディジタル信号処理部１３は、偶数系統回路１１Ｂ，１２Ｂ，１３Ｂをオンさせて回路を動作させる（ステップ２４１）。
【０１７２】
そして、ディジタル信号処理部１３は、偶数系統回路１３Ｂにより、ＲＦ部１１の偶数系統回路１１Ｂでの前回動作で用いた最終設定ゲインＧE（ｎ，ｉ）（ｎは奇数）から偶数系統ｎ（ｎは偶数）ごとに推定した初期受信ゲインＧS（ｎ，ｉ）を、ＲＦ部１１の偶数系統回路１１Ｂに設定する（ステップ２４２）。
続いて、ディジタル信号処理部１３は、偶数系統回路１３Ｂにより、ＲＦ部１１の偶数系統回路１１Ｂおよびアナログ信号処理部１２の偶数系統回路１２Ｂを経由して受信した偶数系統のディジタル受信信号について、受信レベルの測定と受信品質の測定とを開始する（ステップ２４３）。
【０１７３】
そして、偶数系統回路１３Ｂにより、そのレベル測定結果を基にＲＦ部１１の偶数系統回路１１Ｂに設定するゲインを計算して、そのゲインをＲＦ部１１の偶数系統回路１１Ｂに設定し、これを間欠動作期間中、繰り返し行う（ステップ２４４）。
その後、制御部１４は、偶数系統の間欠停止期間の到来に応じて、ＲＦ部１１、アナログ信号処理部１２、およびディジタル信号処理部１３に、それぞれの偶数系統回路１１Ｂ，１２Ｂ，１３Ｂをオフするよう命令を送る（ステップ２４５）。
【０１７４】
これに応じて、ディジタル信号処理部１３の偶数系統回路１３Ｂは、ステップ２４６においてＲＦ部１１の偶数系統回路１１Ｂに設定した最終設定ゲインを記憶保持するとともに、トータル受信品質を後述のようにして算出して記憶保持し、受信レベルおよび受信品質の測定を停止する（ステップ２４７）。
そして、ＲＦ部１１、アナログ信号処理部１２、およびディジタル信号処理部１３は、偶数系統の回路１１Ｂ，１２Ｂ，１３Ｂをオフさせて、回路動作を停止させ（ステップ２４８）、間欠停止期間へ移行し、上記間欠受信動作が繰り返し行われる。
【０１７５】
トータル受信品質については、前述した第９の実施の形態と同様に、当該間欠動作期間で停止している各停止系統の当該間欠動作期間における受信品質として、これら停止系統の直前の間欠動作期間で測定された受信品質を用いる。そして、図１５に示すように、当該間欠動作期間で動作している系統で測定された受信品質と、当該間欠動作期間で停止している系統の直前の間欠動作期間で測定された受信品質とを合成してトータル受信品質を求めている。
【０１７６】
このように、間欠受信動作時、各系統を複数の系統群に分けて制御し、間欠動作期間ごとに各系統群のうちの所定系統群に属する系統のみ動作させ他の系統群に属する系統を停止させるようにしたので、前述のように１系統ずつ動作させる場合と比較して、系統数が多い場合でも各系統が停止している期間を短縮できる。したがって、各系統において受信動作を停止している期間での受信品質変動が小さくなり、受信品質変動に精度よく追従できる。
【０１７７】
また、各停止系統の受信品質として、各停止系統の前回間欠動作期間で得られた受信品質を用いるようにしたので、トータル受信品質に、簡単な計算処理で最新の受信品質変動を反映させることができ、受信品質変動に精度よく追従できる。この際、各停止系統の受信品質として、各停止系統で過去に得られた任意の受信品質を用いてもよい。
なお、本実施の形態で用いるトータル受信品質については、前述した第８〜第１２の実施の形態で説明したトータル受信品質の算出方法をそれぞれ適用してもよい。
【０１７８】
［第１４の実施の形態］
次に、図１６を参照して、本発明の第１４の実施の形態にかかる受信ダイバーシティシステムについて説明する。図１６は、本発明の第１４の実施の形態にかかる受信ダイバーシティシステムの間欠受信動作を示すタイミングチャートである。なお、本実施の形態にかかる受信ダイバーシティシステムの構成については、前述した第１の実施の形態（図１参照）と同様であり、ここでの説明は省略する。
【０１７９】
前述した各実施の形態では、制御部１４により、例えば無線端末が通話や通信に用いられていない待ち受け時間において、前述した図１９に示すような、複数系統のうち１系統のみ動作させ他の系統を停止させる間欠受信動作を行う場合、あるいは間欠受信動作時、各系統を複数の系統群に分けて制御し、間欠動作期間ごとに各系統群のうちの所定系統群に属する系統のみ動作させ他の系統群に属する系統を停止させる場合を例として説明した。
【０１８０】
本実施の形態は、制御部１４により、各系統のいずれか１つ以上の系統からなる主系統を、間欠受信動作の各間欠動作期間に共通して動作させるとともに、主系統以外のいずれか１つ以上系統からなる副系統を間欠動作期間ごとに切り替えて動作させるようにしたものである。
図１６では、系統１が主系統であり、各間欠動作期間に共通して動作している。また、系統２〜Ｎが副系統であり、間欠動作期間ごとにいずれか１つが動作している。
【０１８１】
通常、受信ダイバーシティシステムでは、系統ごとに設けられたアンテナの実装位置や基地局との向きに応じて、それぞれのアンテナ特性に差が生じ、これにより各系統の通信特性が左右される。
この際、無線端末の状態、例えば折りたたみ式の携帯電話端末では、折りたたんでいる状態と開いている状態とでは、アンテナの向きが大きく変化し、基地局とアンテナとの対向関係アンテナ相互間の対向関係も変化する。
【０１８２】
本実施の形態では、各系統のうちのいずれかを主系統として動作させ、他の系統を副系統として動作させるようにしたので、主系統において間欠停止期間での受信ゲインや受信品質の変動による誤差を抑制することができ、受信レベル変動に精度よく追従できるとともに、精度よくトータル受信品質を算出できる。
また、折りたたみ式の携帯電話端末における開閉状態など無線端末の状態に起因して変化するアンテナの方向に応じて、主系統を選択することにより、受信ダイバーシティシステムの導入による消費電流の増加を抑制しつつ、良好な通信特性を維持することができる。
【０１８３】
［各実施の形態の拡張性］
以上の各実施の形態を適用する際、他の実施の形態と組み合わせて適用してもよく、それぞれの持つ効果が得られる。
また、各実施の形態では、系統が２つまたは系統群が２つの場合を例として説明したが、これら数については限定されるものではなく、系統が３つ以上または系統群が３つ以上の場合にも、上記各実施の形態を適用でき、同様の作用効果が得られる。
【０１８４】
また、各実施の形態では、制御部１４が行う間欠受信動作において、ＲＦ部１１、アナログ信号処理部１２、およびディジタル信号処理部１３の各系統回路を切替制御する場合を例として説明したが、これに限定されるものではなく、ＲＦ部１１、アナログ信号処理部１２、およびディジタル信号処理部１３のいずれかで系統回路の切替制御を行えば、電力消費を削減できる。なお、本発明では、間欠受信動作時に系統回路を切替制御する際に、受信ダイバーシティシステムに必要とされる本来の機能を効果的に利用することが目的であることから、少なくともＲＦ部１１の系統回路を切替制御の対象とすればよい。
【０１８５】
また、各実施の形態では、任意の系統における各間欠動作期間を代表する受信ゲインとして、当該間欠動作期間で最後に設定された最終設定ゲインを用いる場合について説明したが、これに限定されるものではない。例えば当該間欠動作期間内に用いた任意の受信ゲインを代表受信ゲインとして用いてもよく、当該間欠動作期間内、あるいは当該期間より過去の間欠動作期間も含めた複数の間欠期間内で用いた複数の受信ゲインから算出した統計値を代表受信ゲインとして用いてもよい。この際、統計量としては前述した累積受信ゲインでもよく、平均値、中央値、さらには標準偏差から算出した値など、各種統計処理により得られる値を利用できる。
【図面の簡単な説明】
【０１８６】
【図１】本発明の第１の実施の形態にかかる受信ダイバーシティシステムの構成を示すブロック図である。
【図２】本発明の第１の実施の形態にかかる受信ダイバーシティシステムの間欠受信動作を示すシーケンス図である。
【図３】本発明の第１の実施の形態にかかる受信ダイバーシティシステムでの受信ゲイン算出方法を示す説明図である。
【図４】本発明の第１の実施の形態にかかる受信ダイバーシティシステムでの他の受信ゲイン算出方法を示す説明図である。
【図５】本発明の第２の実施の形態にかかる受信ダイバーシティシステムでの受信ゲイン算出方法を示す説明図である。
【図６】本発明の第３の実施の形態にかかる受信ダイバーシティシステムでの受信ゲイン算出方法を示す説明図である。
【図７】本発明の第３の実施の形態にかかる受信ダイバーシティシステムでの他の受信ゲイン算出方法を示す説明図である。
【図８】本発明の第６の実施の形態にかかる受信ダイバーシティシステムの間欠受信動作を示すシーケンス図である。
【図９】本発明の第６の実施の形態にかかる受信ダイバーシティシステムでの受信ゲイン算出方法を示す説明図である。
【図１０】本発明の第７の実施の形態にかかる受信ダイバーシティシステムでの受信ゲイン算出方法を示す説明図である。
【図１１】本発明の第８の実施の形態にかかる受信ダイバーシティシステムの間欠受信動作を示すシーケンス図である。
【図１２】本発明の第８の実施の形態にかかる受信ダイバーシティシステムでのトータル受信品質算出方法を示す説明図である。
【図１３】本発明の第１２の実施の形態にかかる受信ダイバーシティシステムでのトータル受信品質算出方法を示す説明図である。
【図１４】本発明の第１３の実施の形態にかかる受信ダイバーシティシステムの間欠受信動作を示すシーケンス図である。
【図１５】本発明の第１３の実施の形態にかかる受信ダイバーシティシステムでのトータル受信品質算出方法を示す説明図である。
【図１６】本発明の第１４の実施の形態にかかる受信ダイバーシティシステムの間欠受信動作を示すタイミングチャートである。
【図１７】従来の受信ダイバーシティシステムの構成を示すブロック図である。
【図１８】受信ダイバーシティシステムにおける間欠受信動作例を示すタイミングチャートである。
【図１９】受信ダイバーシティシステムにおける他の間欠受信動作例を示すタイミングチャートである。
【符号の説明】
【０１８７】
１１…ＲＦ部、１２…アナログ信号処理部、１３…ディジタル信号処理部、１４…制御部、１５…記憶部、１６…電源部。
【図１】
2005311857.tif 000013
【図２】
2005311857.tif 000014
【図３】
2005311857.tif 000015
【図４】
2005311857.tif 000016
【図５】
2005311857.tif 000017
【図６】
2005311857.tif 000018
【図７】
2005311857.tif 000019
【図８】
2005311857.tif 000020
【図９】
2005311857.tif 000021
【図１０】
2005311857.tif 000022
【図１１】
2005311857.tif 000023
【図１２】
2005311857.tif 000024
【図１３】
2005311857.tif 000025
【図１４】
2005311857.tif 000026
【図１５】
2005311857.tif 000027
【図１６】
2005311857.tif 000028
【図１７】
2005311857.tif 000029
【図１８】
2005311857.tif 000030
【図１９】
2005311857.tif 000031